(57)【要約】  通信チャネルを介して送信するデータユニットを生成するための方法において、データユニットのデータ部分が生成される。データ部分の複数の直交周波数分割多重（ＯＦＤＭ）シンボルは、（ｉ）ノーマルガードインターバル、（ｉｉ）ショートガードインターバルおよび（ｉｉｉ）ロングガードインターバルのうち１つを用いて生成される。データユニットのプリアンブルが生成される。プリアンブルは、ノーマルガードインターバル、ショートガードインターバルまたはロングガードインターバルを用いて、データ部分の少なくとも複数のＯＦＤＭシンボルが生成されるか否かを示す。次に、プリアンブルおよびデータ部分を含むように、データユニットが生成される。
2016536910.tif 000002
【特許請求の範囲】
【請求項１】
通信チャネルを介して送信するデータユニットを生成するための方法であって、
前記データユニットのデータ部分を生成する段階と、
前記データユニットのプリアンブルを生成する段階と、
前記プリアンブルおよび前記データ部分を含む前記データユニットを生成する段階とを備え、
前記データユニットのデータ部分を生成する段階は、（ｉ）ノーマルガードインターバル、（ｉｉ）ショートガードインターバルおよび（ｉｉｉ）ロングガードインターバルのうち１つを用いて、前記データ部分の複数の直交周波数分割多重（ＯＦＤＭ）シンボルを生成する段階を有し、
前記データユニットのプリアンブルを生成する段階は、前記プリアンブルを生成し、前記ノーマルガードインターバル、前記ショートガードインターバルまたは前記ロングガードインターバルを用いて前記データ部分の少なくとも複数のＯＦＤＭシンボルが生成されることを示す段階を有する、方法。
【請求項２】
前記データユニットの前記プリアンブルを生成する段階は、前記プリアンブルの信号フィールドを生成する段階を有し、
前記信号フィールドは、前記ノーマルガードインターバル、前記ショートガードインターバルまたは前記ロングガードインターバルを用いて、前記データ部分の少なくとも前記複数のＯＦＤＭシンボルが生成されるか否かを示すように設定されたガードインターバルの表示を含む、請求項１に記載の方法。
【請求項３】
前記ガードインターバルの表示は、２ビットを含む、請求項２に記載の方法。
【請求項４】
前記プリアンブルを生成する段階は、
前記プリアンブルの第１の部分を生成する段階と、
前記信号フィールドにおける前記ガードインターバルの表示により示される前記ガードインターバルを用いて、前記プリアンブルの第２の部分を生成する段階とを有し、
前記プリアンブルの前記第１の部分は、（ｉ）前記ノーマルガードインターバルを用いて生成され、（ｉｉ）前記信号フィールドを含む、請求項２に記載の方法。
【請求項５】
前記データユニットの前記プリアンブルを生成する段階は、（ｉ）レギュラガードインターバルモードのプリアンブルまたは（ｉｉ）拡張ガードインターバルモードのプリアンブルのうち１つを生成する段階を有し、
前記プリアンブルを生成する段階は、前記プリアンブルが前記レギュラガードインターバルのプリアンブルに対応するか、または前記拡張ガードインターバルのプリアンブルに対応するかを、受信デバイスが自動的に検出することができるように前記プリアンブルをフォーマット化する段階を有し、
前記拡張ガードインターバルモードのプリアンブルは、前記プリアンブルが前記拡張ガードインターバルのプリアンブルに対応する場合に、前記ロングガードインターバルを用いて、前記データ部分の少なくとも前記複数のＯＦＤＭシンボルが生成されるとの表示として機能する、請求項１に記載の方法。
【請求項６】
前記拡張ガードインターバルのプリアンブルを生成する段階は、前記拡張ガードインターバルのプリアンブルに、レガシ信号フィールドの２つまたはそれより多い反復を含める段階を有し、
前記受信デバイスは、前記レガシ信号フィールドの前記２つまたはそれより多い反復を検出することに基づいて、前記プリアンブルが前記拡張ガードインターバルモードのプリアンブルに対応することを自動的に検出することができる、請求項５に記載の方法。
【請求項７】
前記拡張ガードインターバルモードのプリアンブルを生成する段階は、
前記プリアンブルに含まれる非レガシ信号フィールドを生成する段階と、
前記レギュラガードインターバルモードのプリアンブルにおける対応する非レガシ信号フィールドとは異なる前記非レガシ信号フィールドを変調する段階とを有し、
前記受信デバイスは、前記非レガシ信号フィールドの前記変調を検出することにより、前記プリアンブルが前記拡張ガードインターバルモードのプリアンブルに対応することを自動的に検出することができる、請求項５に記載の方法。
【請求項８】
前記非レガシ信号フィールドを生成する段階は、前記ロングガードインターバルを用いて、前記非レガシ信号フィールドを生成する段階を有する、請求項７に記載の方法。
【請求項９】
前記拡張ガードインターバルモードのプリアンブルを生成する段階は、前記ロングガードインターバルを用いて、前記プリアンブルに含まれる非レガシ信号フィールドを生成する段階を有し、
前記受信デバイスは、前記ロングガードインターバルを用いて実行された前記非レガシ信号フィールドの自動相関、および前記ノーマルガードインターバルを用いて実行された前記非レガシ信号フィールドの自動相関の複数の結果を比較することにより、前記プリアンブルが前記拡張ガードインターバルモードのプリアンブルに対応することを自動的に検出することができる、請求項５に記載の方法。
【請求項１０】
前記データユニットは、第１の通信プロトコルに準拠し、
前記プリアンブルを生成する段階は、（ｉ）前記第１の通信プロトコルではなくレガシ通信プロトコルに準拠して動作するレガシレシーバが、前記データユニットの持続時間を判断することができ、（ｉｉ）前記データユニットが前記第１の通信プロトコルに準拠することを、前記第１の通信プロトコルに準拠して動作するレシーバが検出することができるように、前記プリアンブルを生成する段階を更に有する、請求項１に記載の方法。
【請求項１１】
データユニットのデータ部分を生成し、
前記データユニットのプリアンブルを生成し、
前記プリアンブルおよび前記データ部分を含む前記データユニットを生成するネットワークインターフェースを備え、
前記データユニットのデータ部分を生成することは、（ｉ）ノーマルガードインターバル、（ｉｉ）ショートガードインターバルおよび（ｉｉｉ）ロングガードインターバルのうち１つを用いて、前記データ部分の複数の直交周波数分割多重（ＯＦＤＭ）シンボルを生成することを含み、
前記データユニットのプリアンブルを生成することは、前記プリアンブルを生成し、前記ノーマルガードインターバル、前記ショートガードインターバルまたは前記ロングガードインターバルを用いて前記データ部分の少なくとも複数のＯＦＤＭシンボルが生成されることを示すことを含む、装置。
【請求項１２】
前記ネットワークインターフェースは、前記プリアンブルの信号フィールドを更に生成し、
前記信号フィールドは、前記ノーマルガードインターバル、前記ショートガードインターバルまたは前記ロングガードインターバルを用いて、前記データ部分の少なくとも前記複数のＯＦＤＭシンボルが生成されるか否かを示すように設定されたガードインターバルの表示を含む、請求項１１に記載の装置。
【請求項１３】
前記ガードインターバルの表示は、２ビットを含む、請求項１２に記載の装置。
【請求項１４】
前記ネットワークインターフェースは、更に、
前記プリアンブルの第１の部分を生成し、
前記信号フィールドにおける前記ガードインターバルの表示により示される前記ガードインターバルを用いて、前記プリアンブルの第２の部分を生成し、
前記プリアンブルの前記第１の部分は、（ｉ）前記ノーマルガードインターバルを用いて生成され、（ｉｉ）前記信号フィールドを含む、請求項１２に記載の装置。
【請求項１５】
前記データユニットの前記プリアンブルを生成することは、（ｉ）レギュラガードインターバルモードのプリアンブルまたは（ｉｉ）拡張ガードインターバルモードのプリアンブルのうち１つを生成することを含み、
前記プリアンブルを生成することは、前記プリアンブルが前記レギュラガードインターバルのプリアンブルに対応するか、または前記拡張ガードインターバルのプリアンブルに対応するかを、受信デバイスが自動的に検出することができるように前記プリアンブルをフォーマット化することを含み、
前記拡張ガードインターバルモードのプリアンブルは、前記プリアンブルが前記拡張ガードインターバルのプリアンブルに対応する場合に、前記ロングガードインターバルを用いて、前記データ部分の少なくとも前記複数のＯＦＤＭシンボルが生成されるとの表示として機能する、請求項１１に記載の装置。
【請求項１６】
前記拡張ガードインターバルのプリアンブルを生成する段階は、前記拡張ガードインターバルのプリアンブルに、レガシ信号フィールドの２つまたはそれより多い反復を含める段階を有し、
前記受信デバイスは、前記レガシ信号フィールドの前記２つまたはそれより多い反復を検出することに基づいて、前記プリアンブルが前記拡張ガードインターバルモードのプリアンブルに対応することを自動的に検出することができる、請求項１５に記載の装置。
【請求項１７】
前記拡張ガードインターバルモードのプリアンブルを生成することは、
前記プリアンブルに含まれる非レガシ信号フィールドを生成することと、
前記レギュラガードインターバルモードのプリアンブルにおける対応する非レガシ信号フィールドとは異なる前記非レガシ信号フィールドを変調することとを含み、
前記受信デバイスは、前記非レガシ信号フィールドの前記変調を検出することにより、前記プリアンブルが前記拡張ガードインターバルモードのプリアンブルに対応することを自動的に検出することができる、請求項１５に記載の装置。
【請求項１８】
前記非レガシ信号フィールドを生成することは、前記ロングガードインターバルを用いて、前記非レガシ信号フィールドを生成することを含む、請求項１７に記載の装置。
【請求項１９】
前記拡張ガードインターバルモードのプリアンブルを生成することは、前記ロングガードインターバルを用いて、前記プリアンブルに含まれる非レガシ信号フィールドを生成することを有し、
前記受信デバイスは、前記ロングガードインターバルを用いて実行された前記非レガシ信号フィールドの自動相関、および前記ノーマルガードインターバルを用いて実行された前記非レガシ信号フィールドの自動相関の複数の結果を比較することにより、前記プリアンブルが前記拡張ガードインターバルモードのプリアンブルに対応することを自動的に検出することができる、請求項１５に記載の装置。
【請求項２０】
前記データユニットは、第１の通信プロトコルに準拠し、
前記プリアンブルを生成する段階は、（ｉ）前記第１の通信プロトコルではなくレガシ通信プロトコルに準拠して動作するレガシレシーバが、前記データユニットの持続時間を判断することができ、（ｉｉ）前記データユニットが前記第１の通信プロトコルに準拠することを、前記第１の通信プロトコルに準拠して動作するレシーバが検出することができるように、前記プリアンブルを生成する段階を更に有する、請求項１１に記載の装置。
【発明の詳細な説明】
【技術分野】
【０００１】
［関連出願の相互参照］
【０００２】
本開示は、２０１３年９月１０日に出願された「Ｌｏｎｇｅｒ  ＧＩ  ｆｏｒ  Ｏｕｔｄｏｏｒ」という名称の米国仮特許出願第６１／８７５，９６８号、および２０１３年１２月３日に出願された「Ｌｏｎｇｅｒ  ＧＩ  ｆｏｒ  Ｏｕｔｄｏｏｒ」という名称の米国仮特許出願第６１／９１１，２３２号に対する利益を主張し、双方の開示はその全体が、参照により本明細書に組み込まれる。
【０００３】
本開示は、通信ネットワークに概ね関し、より具体的には直交周波数分割多重（ＯＦＤＭ）を使用する無線ローカルエリアネットワークに関する。
【背景技術】
【０００４】
通常、あるインフラストラクチャのモードで動作する場合、無線ローカルエリアネットワーク（ＷＬＡＮ）は、アクセスポイント（ＡＰ）および１または複数のクライアント局を含む。ＷＬＡＮは、過去十年で急速に進化した。米国電気電子学会（ＩＥＥＥ）８０２．１１ａ、８０２．１１ｂ、８０２．１１ｇおよび８０２．１１ｎ規格等のＷＬＡＮ規格の発展により、シングルユーザピークデータスループットは、改善されてきている。例えば、ＩＥＥＥ８０２．１１ｂ規格は１１メガビット／秒（Ｍｂｐｓ）のシングルユーザピークスループットを指定し、ＩＥＥＥ８０２．１１ａおよび８０２．１１ｇ規格は、５４Ｍｂｐｓのシングルユーザピークスループットを指定し、ＩＥＥＥ８０２．１１ｎ規格は、６００Ｍｂｐｓのシングルユーザピークスループットを指定し、ＩＥＥＥ８０２．１１ａｃ規格は、ギガビット／秒（Ｇｂｐｓ）範囲のシングルユーザピークスループットを指定する。将来の規格は、数十Ｇｂｐｓの範囲のスループット等、より大きいスループットを提供することを保証する。
【発明の概要】
【０００５】
一実施形態において、通信チャネルを介して送信するデータユニットを生成するための方法は、データユニットのデータ部分を生成する段階であって、（ｉ）ノーマルガードインターバル、（ｉｉ）ショートガードインターバルおよび（ｉｉｉ）ロングガードインターバルのうち１つを用いてデータ部分の複数の直交周波数分割多重（ＯＦＤＭ）シンボルを生成する段階を有する段階を備える。また、本方法は、データユニットのプリアンブルを生成する段階を有する段階を備え、データユニットのプリアンブルを生成する段階を有する段階は、ノーマルガードインターバル、ショートガードインターバルまたはロングガードインターバルを用いて、データ部分のうち少なくとも複数のＯＦＤＭシンボルが生成されるか否かを示すプリアンブルを生成する段階を有する。更に、本方法は、プリアンブルおよびデータ部分を含むデータユニットを生成する段階を備える。
【０００６】
別の実施形態において、装置は、（ｉ）ノーマルガードインターバル、（ｉｉ）ショートガードインターバルおよび（ｉｉｉ）ロングガードインターバルのうち１つを用いて、データ部分の複数の直交周波数分割多重（ＯＦＤＭ）シンボルを生成することを含めて、データユニットのデータ部分を生成するように構成されたネットワークインターフェースを備える。また、ネットワークインターフェースは、ノーマルガードインターバル、ショートガードインターバルまたはロングガードインターバルを用いて、データ部分の少なくとも複数のＯＦＤＭシンボルが生成されるか否かを示すプリアンブルを生成することを含めて、データユニットのプリアンブルを生成するように構成されている。更に、ネットワークインターフェースは、プリアンブルおよびデータ部分を含むデータユニットを生成するように構成されている。
【図面の簡単な説明】
【０００７】
【図１】一実施形態による、例示的な無線ローカルエリアネットワーク（ＷＬＡＮ）１０のブロック図である。
【図２Ａ】従来技術のデータユニットフォーマットの図である。
【図２Ｂ】従来技術のデータユニットフォーマットの図である。
【図３】従来技術のデータユニットフォーマットの図である。
【図４】別の従来技術のデータユニットフォーマットの図である。
【図５】別の従来技術のデータユニットフォーマットの図である。
【図６Ａ】従来技術のデータユニットにおいて複数のシンボルを変調するべく用いられる変調の複数の図である。
【図６Ｂ】一実施形態による、例示的なデータユニットにおいて複数のシンボルを変調するべく用いられる変調の複数の図である。
【図７Ａ】一実施形態による、直交周波数分割多重（ＯＦＤＭ）データユニットの図である。
【図７Ｂ】一実施形態による、図７Ａに図示されたデータユニットにおいて複数のシンボルを変調するべく用いられる変調の複数の図である。
【図８】一実施形態による、ＯＦＤＭシンボルのブロック図である。
【図９Ａ】一実施形態による、ノーマルガードインターバルがデータユニットのプリアンブルに用いられる例示的なデータユニットを図示する図である。
【図９Ｂ】一実施形態による、ノーマルガードインターバルがデータユニットのプリアンブルの一部のみに用いられる例示的なデータユニットを図示する図である。
【図１０Ａ】一実施形態による、ガードインターバルの持続時間を効果的に増大させるべく、ＯＦＤＭトーンの間隔が用いられる例示的なデータユニットを図示する図である。
【図１０Ｂ】別の実施形態による、ガードインターバルの持続時間を効果的に増大させるべく、ＯＦＤＭトーンの間隔が用いられる例示的なデータユニットを図示する図である。
【図１１Ａ】一実施形態による、レギュラガードインターバルモードのデータユニットを図示する図である。
【図１１Ｂ】一実施形態による、拡張ガードインターバルモードのデータユニットを図示する図である。
【図１２Ａ】２つの例示的な実施形態による、ロングトレーニングフィールドの２つの可能なフォーマットを図示する図である。
【図１２Ｂ】２つの例示的な実施形態による、ロングトレーニングフィールドの２つの可能なフォーマットを図示する図である。
【０００８】
【図１３Ａ】一実施形態による、図１１Ａのレギュラガードインターバルモードのデータユニットの非レガシ信号フィールドを図示する図である。
【０００９】
【図１３Ｂ】一実施形態による、図１１Ｂの拡張ガードインターバルモードのデータユニットの非レガシ信号フィールドを図示する図である。
【００１０】
【図１４Ａ】一実施形態による、拡張ガードインターバルモードのデータユニットを図示するブロック図である。
【００１１】
【図１４Ｂ】一実施形態による、図１４Ａの拡張ガードインターバルのデータユニットのレガシ信号フィールドを図示する図である。
【００１２】
【図１４Ｃ】一実施形態による、図１４Ｂのレガシ受信デバイスにおけるレガシ信号フィールド用の高速フーリエ変換（ＦＦＴ）ウインドウを図示する図である。
【００１３】
【図１５】一実施形態による、非レガシ信号フィールドのフォーマットを図示するブロック図である。
【００１４】
【図１６】一実施形態による、データユニットを生成するための方法のフロー図である。
【発明を実施するための形態】
【００１５】
下記の複数の実施形態において、無線ローカルエリアネットワーク（ＷＬＡＮ）のアクセスポイント（ＡＰ）等の無線ネットワークデバイスは、１または複数のクライアント局に複数のデータストリームを送信する。ＡＰは、少なくとも第１の通信プロトコルに準拠して、複数のクライアント局と動作するように構成されている。第１の通信プロトコルは、本明細書において「高効率ＷｉＦｉ」または「ＨＥＷ」通信プロトコルと称される場合がある。いくつかの実施形態において、ＡＰ付近の異なる複数のクライアント局は、ＨＥＷ通信プロトコルと同一の周波数帯域であるが、一般により低いデータスループットによる動作を規定する１または複数の他の通信プロトコルに準拠して動作するように構成されている。より低いデータスループットの通信プロトコル（例えば、ＩＥＥＥ８０２．１１ａ、ＩＥＥＥ８０２．１１ｎ、および／またはＩＥＥＥ８０２．１１ａｃ）は、本明細書において集合的に「レガシ」通信プロトコルと称される。少なくともいくつかの実施形態において、複数のレガシ通信プロトコルは一般に、屋内通信チャネルにおいて使用され、ＨＥＷ通信プロトコルは、屋外通信に少なくとも時々使用される。
【００１６】
一実施形態によれば、ＡＰにより送信される複数のシンボルは、通信チャネル内のマルチパス伝播により引き起こされる、レシーバにおけるシンボル間の干渉を回避または最小化する複数のガードインターバルを含む。一般に、干渉を軽減するべく必要とされるガードインターバルの長さは、使用される特定のチャネルの遅延広がりに依存する。少なくともいくつかの実施形態および／またはシナリオにおいて、例えば、屋外通信チャネルは通常、屋内通信チャネルと比較して大きなチャネルの遅延広がりにより特徴付けられる。一実施形態において、ＨＥＷ通信プロトコルは、レギュラガードインターバルモードおよび拡張ガードインターバルモードを規定する。一実施形態において、一般に、レギュラガードインターバルモードは、より短いチャネルの遅延広がり（例えば、屋内通信チャネル）により特徴付けられる通信チャネルと共に用いられるが、拡張ガードインターバルモードは一般に、比較的長いチャネル遅延広がり（例えば、屋外通信チャネル）により特徴付けられる通信チャネルと共に用いられる。一実施形態において、ノーマルガードインターバル（ＮＧＩ）またはショートガードインターバル（ＳＧＩ）は、レギュラガードインターバルモードで用いられ、ロングガードインターバル（ＬＧＩ）は、拡張ガードインターバルモードで用いられる。
【００１７】
一実施形態において、ＡＰにより送信されるデータユニットは、プリアンブルおよびデータ部分を含み、プリアンブルは、少なくとも部分的に、受信デバイスに対して、データ部分の送信に用いられる様々なパラメータをシグナリングするべく用いられる。様々な実施形態において、データユニットのプリアンブルは、受信デバイスに対して、データユニットの少なくともデータ部分において使用される特定のガードインターバルをシグナリングするべく用いられる。いくつかの実施形態において、同一のプリアンブルフォーマットは、レギュラガードインターバルモードおよび拡張ガードインターバルモードで用いられる。そのような一実施形態において、プリアンブルは、ＮＧＩ、ＳＧＩまたはＬＧＩがデータユニットの少なくともデータ部分に用いられているか否かを示すように設定された表示を含む。いくつかの実施形態において、示されるＮＧＩ、ＳＧＩまたはＬＧＩは、データユニットのデータ部分に加えて、データユニットのプリアンブルの少なくとも一部に用いられる。一実施形態において、受信デバイスは、データユニットのプリアンブルにおける表示に基づいて、使用される特定のガードインターバルを判断し、次に、特定のガードインターバルを用いてデータユニットの適切な残余部分（例えば、データ部分またはプリアンブルおよびデータ部分の一部）をデコードする。
【００１８】
別の実施形態において、拡張ガードインターバルモードで用いられるプリアンブルは、レギュラガードインターバルモードで用いられるプリアンブルとは異なるようにフォーマット化される。例えば、拡張ガードインターバルモードで用いられるプリアンブルは、受信デバイスが（例えば、デコードする前に）データユニットが拡張ガードインターバルモードに対応していることを自動的に検出できるようにフォーマット化される。一実施形態において、データユニットが拡張ガードインターバルモードに対応していることを受信デバイスが検出する場合に、受信デバイスは、データユニットのデータ部分をデコードし、少なくともいくつかの実施形態において、ＬＧＩを用いてプリアンブルの少なくとも一部およびデータユニットのデータ部分をデコードする。他方、実施形態において、データユニットが拡張ガードインターバルモードに対応していないことを受信デバイスが検出する場合、受信デバイスは、データユニットがレギュラガードインターバルモードに対応していると想定する。次に、一実施形態において、受信デバイスは、例えばプリアンブルの表示に基づいて、ＮＧＩもしくはＳＧＩがデータユニットにおいて用いられているか否かを判断し、当該判断に準拠して、ＮＧＩもしくはＳＧＩを用いてデータユニットの少なくともデータ部分をデコードする。
【００１９】
更に、少なくともいくつかの実施形態において、レギュラガードインターバルモードおよび／もしくは拡張ガードインターバルモードのデータユニットのプリアンブルは、ＨＥＷ通信プロトコルではなくレガシプロトコルに準拠して動作するクライアント局がデータユニットの持続時間等のデータユニットに関する特定の情報、および／もしくはデータユニットがレガシプロトコルに準拠していないことを判断することができるように、フォーマット化される。更に、実施形態において、データユニットのプリアンブルは、データユニットがＨＥＷ通信プロトコルに準拠することを、ＨＥＷプロトコルに準拠して動作するクライアント局が判断できるようにフォーマット化される。同様に、ＨＥＷ通信プロトコルに準拠して動作するように構成されたクライアント局は、一実施形態において上記のような複数のデータユニットも送信する。
【００２０】
少なくともいくつかの実施形態において、例えば、複数の異なる通信プロトコルに従うクライアント局、および／または複数のクライアント局が複数の異なる通信プロトコルに準拠して動作する複数のＷＬＡＮと共に動作するように構成されたＡＰを有する上記のフォーマット化されたデータユニットが有用である。上記の例を続けると、ＨＥＷ通信プロトコルおよびレガシ通信プロトコルの双方に準拠して動作するように構成された通信デバイスは、データユニットがレガシ通信プロトコルではなく、ＨＥＷ通信プロトコルに準拠してフォーマット化されていることを判断することができる。同様に、ＨＥＷ通信プロトコルではなく、レガシ通信プロトコルに準拠して動作するように構成された通信デバイスは、データユニットがレガシ通信プロトコルに準拠してフォーマット化されていないことを判断し、および／またはデータユニットの持続時間を判断する。
【００２１】
図１は、一実施形態による、例示的な無線ローカルエリアネットワーク（ＷＬＡＮ）１０のブロック図である。ＡＰ１４は、ネットワークインターフェース１６に結合されたホストプロセッサ１５を含む。ネットワークインターフェース１６は、媒体アクセス制御（ＭＡＣ）処理ユニット１８および物理層（ＰＨＹ）処理ユニット２０を含む。ＰＨＹ処理ユニット２０は、複数のトランシーバ２１を含み、複数のトランシーバ２１は、複数のアンテナ２４に結合されている。３つのトランシーバ２１および３つのアンテナ２４が図１に図示されているが、複数の他の実施形態において、ＡＰ１４は他の好適な数（例えば、１、２、４、５等）のトランシーバ２１およびアンテナ２４を含む。一実施形態において、ＭＡＣ処理ユニット１８およびＰＨＹ処理ユニット２０は、第１の通信プロトコル（例えば、ＨＥＷ通信プロトコル）に準拠して動作するように構成されている。また、別の実施形態において、ＭＡＣ処理ユニット１８およびＰＨＹ処理ユニット２０は、第２の通信プロトコル（例えば、ＩＥＥＥ８０２.１１ａｃ規格）に準拠して動作するように構成されている。なおも別の実施形態において、ＭＡＣ処理ユニット１８およびＰＨＹ処理ユニット２０は、第２の通信プロトコル、第３の通信プロトコルおよび／または第４の通信プロトコル（例えば、ＩＥＥＥ８０２．１１ａ規格および／またはＩＥＥＥ８０２．１１ｎ規格）に準拠して動作するように更に構成されている。
【００２２】
ＷＬＡＮ１０は、複数のクライアント局２５を含む。４つのクライアント局２５が図１に図示されているが、様々なシナリオおよび実施形態において、ＷＬＡＮ１０は他の好適な数（例えば、１、２、３、５、６等）のクライアント局２５を含む。複数のクライアント局２５のうち少なくとも１つ（例えば、クライアント局２５―１）は、少なくとも第１の通信プロトコルに準拠して動作するように構成されている。いくつかの実施形態において、複数のクライアント局２５のうち少なくとも１つは、第１の通信プロトコルに準拠して動作するように構成されないが、第２の通信プロトコル、第３の通信プロトコルおよび／または第４の通信プロトコル（本明細書において「レガシクライアント局」と称される）のうち少なくとも１つに準拠して動作するように構成されている。
【００２３】
クライアント局２５―１は、ネットワークインターフェース２７に結合されたホストプロセッサ２６を含む。ネットワークインターフェース２７は、ＭＡＣ処理ユニット２８およびＰＨＹ処理ユニット２９を含む。ＰＨＹ処理ユニット２９は、複数のトランシーバ３０を含み、複数のトランシーバ３０は、複数のアンテナ３４に結合されている。３つのトランシーバ３０および３つのアンテナ３４が図１に図示されているが、複数の他の実施形態において、クライアント局２５―１は他の好適な数（例えば、１、２、４、５等）のトランシーバ３０およびアンテナ３４を含む。
【００２４】
一実施形態によれば、クライアント局２５―４はレガシクライアント局である。すなわち、クライアント局２５―４が、第１の通信プロトコルに準拠してＡＰ１４または別のクライアント局２５により送信されるデータユニットを受信し、完全にデコードすることは可能とされない。同様に、一実施形態によれば、レガシクライアント局２５―４が、第１の通信プロトコルに準拠して複数のデータユニットを送信することは可能とされない。他方、レガシクライアント局２５―４が、第２の通信プロトコル、第３の通信プロトコルおよび／または第４の通信プロトコルに準拠して複数のデータユニットを受信し、完全にデコードし、送信することが可能とされる。
【００２５】
一実施形態において、クライアント局２５―２および２５―３の一方または双方は、クライアント局２５―１と同一またはこれに類似する構造を有する。一実施形態において、クライアント局２５―４は、クライアント局２５―１に類似する構造を有する。これらの実施形態において、クライアント局２５―１と同一または類似する構造の複数のクライアント局２５は、同一または異なる数のトランシーバおよびアンテナを有する。例えば、一実施形態によれば、クライアント局２５―２は、２つのトランシーバおよび２つのアンテナのみを有する。
【００２６】
様々な実施形態において、ＡＰ１４のＰＨＹ処理ユニット２０は、第１の通信プロトコルに準拠し、本明細書に説明される複数のフォーマットを有する複数のデータユニットを生成するように構成されている。トランシーバ２１は、アンテナ２４を介して複数の生成済みデータユニットを送信するように構成されている。同様に、トランシーバ２４は、アンテナ２４を介して複数のデータユニットを受信するように構成されている。様々な実施形態によれば、ＡＰ１４のＰＨＹ処理ユニット２０は、第１の通信プロトコルに準拠し、本明細書の以下に説明される複数のフォーマットを有する複数の受信済みデータユニットを処理し、複数のそのようなデータユニットが第１の通信プロトコルに準拠していることを判断するように構成されている。 
【００２７】
様々な実施形態において、クライアントデバイス２５―１のＰＨＹ処理ユニット２９は、第１の通信プロトコルに準拠し、本明細書に説明される複数のフォーマットを有する複数のデータユニットを生成するように構成されている。トランシーバ３０は、アンテナ３４を介して複数の生成済みデータユニットを送信するように構成されている。同様に、トランシーバ３０は、アンテナ３４を介して複数のデータユニットを受信するように構成されている。様々な実施形態によれば、クライアントデバイス２５―１のＰＨＹ処理ユニット２９は、第１の通信プロトコルに準拠し、本明細書の以下に説明される複数のフォーマットを有する複数の受信済みデータユニットを処理し、複数のそのようなデータユニットが第１の通信プロトコルに準拠していることを判断するように構成されている。
【００２８】
図２Ａは、一実施形態による、従来技術のＯＦＤＭデータユニット２００の図であり、ＡＰ１４は、ＯＦＤＭデータユニット２００を直交周波数分割多重（ＯＦＤＭ）変調によりクライアント局２５―４に送信するように構成されている。また、一実施形態において、クライアント局２５―４は、データユニット２００をＡＰ１４に送信するように構成されている。データユニット２００は、ＩＥＥＥ８０２．１１ａ規格に準拠し、２０メガヘルツ（ＭＨｚ）の帯域を占有する。データユニット２００は、一般にパケット検出、初期同期および自動利得制御等に用いられるレガシショートトレーニングフィールド（Ｌ―ＳＴＦ）２０２、ならびに一般にチャネル推定および微同期に用いられるレガシロングトレーニングフィールド（Ｌ―ＬＴＦ）２０４を含むプリアンブルを有する。例えば、データユニット２００は、データユニットを送信するべく用いられる変調タイプおよび符号化レート等、データユニット２００の特定の物理層（ＰＨＹ）複数のパラメータを搬送するべく用いられるレガシ信号フィールド（Ｌ―ＳＩＧ）２０６も含む。データユニット２００は、データ部分２０８も含む。図２Ｂは、例示的なデータ部分２０８の図であり（低密度パリティ検査はエンコードされていない）、例示的なデータ部分２０８は、必要であればサービスフィールド、スクランブル物理層サービスデータユニット（ＰＳＤＵ）、テールビットおよびパディングビットを含む。データユニット２００は、シングル入力シングル出力（ＳＩＳＯ）チャネル構成の１つの空間または空間・時間ストリームを介する送信用に設計されている。
【００２９】
図３は、一実施形態による、従来技術のＯＦＤＭデータユニット３００の図であり、ＡＰ１４は、ＯＦＤＭデータユニット３００を直交周波数分割多重（ＯＦＤＭ）変調によりクライアント局２５―４に送信するように構成されている。また、一実施形態において、クライアント局２５―４は、データユニット３００をＡＰ１４に送信するように構成されている。データユニット３００はＩＥＥＥ８０２．１１ｎ規格に準拠し、２０ＭＨｚの帯域を占有し、混合モードの状況、すなわちＷＬＡＮがＩＥＥＥ８０２．１１ａ規格には準拠するが、ＩＥＥＥ８０２．１１ｎ規格には準拠しない１または複数のクライアント局を含む場合のために設計されている。データユニット３００は、Ｌ―ＳＴＦ３０２、ＬＴＦ３０４、Ｌ―ＳＩＧ３０６、高スループット信号フィールド（ＨＴ―ＳＩＧ）３０８、高スループットショートトレーニングフィールド（ＨＴ―ＳＴＦ）３１０、およびＭのデータ高スループットロングトレーニングフィールド（ＨＴ―ＬＴＦ）３１２を含むプリアンブルを有する。一般に、Ｍは、多入力多出力（ＭＩＭＯ）チャネル構成のデータユニット３００を送信するべく用いられる空間ストリームの数により、判断される整数である。具体的には、ＩＥＥＥ８０２．１１ｎ規格に準拠して、データユニット３００は、データユニット３００が２つの空間ストリームを用いて送信される場合に、２つのＨＴ―ＬＴＦ３１２を含み、４つのＨＴ―ＬＴＦ３１２がデータユニット３００であり、３つまたは４つの空間ストリームを用いて送信される。使用される特定の数の空間ストリームの表示は、ＨＴ―ＳＩＧフィールド３０８を含む。データユニット３００は、データ部分３１４も含む。
【００３０】
図４は、一実施形態による、従来技術のＯＦＤＭデータユニット４００の図であり、ＡＰ１４は、ＯＦＤＭデータユニット４００を直交周波数分割多重（ＯＦＤＭ）変調によりクライアント局２５―４に送信するように構成されている。また、一実施形態において、クライアント局２５―４は、データユニット４００をＡＰ１４に送信するように構成されている。データユニット４００はＩＥＥＥ８０２．１１ｎ規格に準拠し、２０ＭＨｚの帯域を占有し、「グリーンフィールド」の状況、すなわちＷＬＡＮがＩＥＥＥ８０２．１１ａ規格には準拠するが、ＩＥＥＥ８０２．１１ｎ規格には準拠しないクライアント局を含まない場合のために設計されている。データユニット４００は、高スループットグリーンフィールドショートトレーニングフィールド（ＨＴ―ＧＦ―ＳＴＦ）４０２、第１の高スループットロングトレーニングフィールド（ＨＴ―ＬＴＦ１）４０４、ＨＴ―ＳＩＧ４０６およびＭのデータＨＴ―ＬＴＦ４０８を含むプリアンブルを有する。一般に、Ｍは、多入力多出力（ＭＩＭＯ）チャネル構成のデータユニット４００を送信するべく用いられるいくつかの空間ストリームに対応する整数である。データユニット４００は、データ部分４１０も含む。
【００３１】
図５は、一実施形態による、従来技術のＯＦＤＭデータユニット５００の図であり、クライアント局のＡＰ１４は、ＯＦＤＭデータユニットを直交周波数分割多重（ＯＦＤＭ）変調によりクライアント局２５―４に送信するように構成されている。また、一実施形態において、クライアント局２５―４は、データユニット５００をＡＰ１４に送信するように構成されている。データユニット５００は、ＩＥＥＥ８０２．１１ａｃ規格に準拠し、「混合フィールド」の状況のために設計されている。データユニット５００は、２０ＭＨｚの帯域幅を占有する。複数の他の実施形態またはシナリオにおいて、データユニット５００に類似するデータユニットは、４０ＭＨｚ、８０ＭＨｚまたは１６０ＭＨｚの帯域幅等、異ななる帯域幅を占有する。データユニット５００は、Ｌ―ＳＴＦ５０２、Ｌ―ＬＴＦ５０４、Ｌ―ＳＩＧ５０６、第１の超高スループット信号フィールド（ＶＨＴ―ＳＩＧＡ１）５０８―１および第２の超高スループット信号フィールド（ＶＨＴ―ＳＩＧＡ２）５０８―２を含む２つの第１の超高スループット信号フィールド（ＶＨＴ―ＳＩＧＡ）５０８、超高スループットショートトレーニングフィールド（ＶＨＴ―ＳＴＦ）５１０、Ｍの超高スループットロングトレーニングフィールド（ＶＨＴ―ＬＴＦ）５１２を含むプリアンブルを有する。Ｍは、整数であり、第２超高スループット信号フィールド（ＶＨＴ―ＳＩＧ―Ｂ）５１４である。データユニット５００は、データ部分５１６も含む。
【００３２】
図６Ａは、ＩＥＥＥ８０２．１１ｎ規格により規定される、図３におけるデータユニット３００のＬ―ＳＩＧ、ＨＴ―ＳＩＧ１およびＨＴ―ＳＩＧ２フィールドの変調を図示する１セットの図である。Ｌ―ＳＩＧフィールドは、二位相変調（ＢＰＳＫ）により変調され、ＨＴ―ＳＩＧ１およびＨＴ―ＳＩＧ２フィールドは、ＢＰＳＫによるが、直交軸上で（Ｑ―ＢＰＳＫ）変調される。換言すれば、ＨＴ―ＳＩＧ１およびＨＴ―ＳＩＧ２フィールドの変調は、Ｌ―ＳＩＧフィールドの変調と比較して９０°回転される。
【００３３】
図６Ｂは、ＩＥＥＥ８０２．１１ａｃ規格により規定された図５におけるデータユニット５００のＬ―ＳＩＧ、ＶＨＴ―ＳＩＧＡ１およびＶＨＴ―ＳＩＧＡ２フィールドの変調を図示する１セットの図である。図６ＡにおけるＨＴ―ＳＩＧ１フィールドと異なり、ＶＨＴ―ＳＩＧＡ１フィールドは、Ｌ―ＳＩＧフィールドの変調と同一のＢＰＳＫにより変調される。他方、ＶＨＴ―ＳＩＧＡ２フィールドは、Ｌ―ＳＩＧフィールドの変調と比較して９０°回転される。
【００３４】
図７Ａは、一実施形態による、ＯＦＤＭデータユニット７００の図であり、クライアント局のＡＰ１４は、ＯＦＤＭデータユニット７００を直交周波数分割多重（ＯＦＤＭ）変調によりクライアント局２５―１に送信するように構成されている。また、一実施形態において、クライアント局２５―１は、データユニット７００をＡＰ１４に送信するように構成されている。データユニット７００は、第１の通信プロトコルに準拠し、２０ＭＨｚの帯域幅を占有する。複数の他の実施形態において、データユニット７００に類似する複数のデータユニットは、例えば４０ＭＨｚ、８０ＭＨｚ、１６０ＭＨｚ、３２０ＭＨｚ、６４０ＭＨｚ等の他の好適な帯域幅、または他の好適な複数の帯域幅を占有する。データユニット７００は、「混合モード」の状況、すなわち、ＷＬＡＮ１０が第１の通信プロトコルではなく、レガシ通信プロトコルに準拠するクライアント局（例えば、レガシクライアント局２５―４）を含む場合に好適である。いくつかの実施形態において、データユニット７００は、他の複数の状況でも使用される。
【００３５】
データユニット７００は、Ｌ―ＳＴＦ７０２、Ｌ―ＬＴＦ７０４、Ｌ―ＳＩＧ７０６、第１のＨＥＷ信号フィールド（ＨＥＷ―ＳＩＧＡ１）７０８―１および第２のＨＥＷ信号フィールド（ＨＥＷ―ＳＩＧＡ２）７０８―２を含む２つの第１のＨＥＷ信号フィールド（ＨＥＷ―ＳＩＧＡ）７０８、ＨＥＷショートトレーニングフィールド（ＨＥＷ―ＳＴＦ）７１０、ＭのＨＥＷロングトレーニングフィールド（ＨＥＷ―ＬＴＦ）７１２を含むプリアンブル７０１を有する。Ｍは整数であり、第３のＨＥＷ信号フィールド（ＨＥＷ―ＳＩＧＢ）７１４である。Ｌ―ＳＴＦ７０２、Ｌ―ＬＴＦ７０４、Ｌ―ＳＩＧ７０６、ＨＥＷ―ＳＩＧＡ７０８、ＨＥＷ―ＳＴＦ７１０、ＭのＨＥＷ―ＬＴＦ７１２、およびＨＥＷ―ＳＩＧＢ７１４の各々は、整数の１または複数のＯＦＤＭシンボルを含む。例えば、一実施形態において、ＨＥＷ―ＳＩＧＡ７０８は、２つのＯＦＤＭシンボルを含み、ＨＥＷ―ＳＩＧＡ１  ７０８―１フィールドは第１のＯＦＤＭシンボルを含み、ＨＥＷ―ＳＩＧＡ２は第２のＯＦＤＭシンボルを含む。少なくともいくつかの例において、複数のＨＥＷ―ＳＩＧＡ７０８は集合的に、１つのＨＥＷ信号フィールド（ＨＥＷ―ＳＩＧＡ）７０８と称される。いくつかの実施形態において、データユニット７００は、データ部分７１６も含む。複数の他の実施形態において、データユニット７００は、データ部分７１６を省略する。
【００３６】
図７Ａの実施形態において、データユニット７００は、Ｌ―ＳＴＦ７０２、Ｌ―ＬＴＦ７０４、Ｌ―ＳＩＧ７０６、複数のＨＥＷ―ＳＩＧＡ１  ７０８の各々のうち１つを含む。データユニット７００に類似するＯＦＤＭデータユニットが２０ＭＨｚ以外の累積的な帯域幅を占有する複数の他の実施形態において、Ｌ―ＳＴＦ７０２、Ｌ―ＬＴＦ７０４、Ｌ―ＳＩＧ７０６、複数のＨＥＷ―ＳＩＧＡ１  ７０８の各々は、一実施形態のデータユニットの全帯域幅の２０ＭＨｚサブバンドの対応する数を超えて反復される。例えば、一実施形態において、ＯＦＤＭデータユニットは、８０ＭＨｚの帯域幅を占有し、従って一実施形態の４つのＬ―ＳＴＦ７０２、Ｌ―ＬＴＦ７０４、Ｌ―ＳＩＧ７０６、複数のＨＥＷ―ＳＩＧＡ１  ７０８の各々を含む。いくつかの実施形態において、異なる２０ＭＨｚのサブバンド信号の変調は、異なる角度で回転される。例えば、一実施形態において、第１のサブバンドは０°回転され、第２のサブバンドは９０°回転され、第３のサブバンドは１８０°回転され、第４のサブバンドは２７０°回転される。複数の他の実施形態において、異なる好適な回転が使用される。少なくともいくつかの実施形態において、２０ＭＨｚのサブバンド信号の異なる複数の位相は、データユニット７００におけるＯＦＤＭシンボルのピーク対平均電力比（ＰＡＰＲ）の減少をもたらす。一実施形態において、第１の通信プロトコルに準拠するデータユニットが２０ＭＨｚ、４０ＭＨｚ、８０ＭＨｚ、１６０ＭＨｚ、３２０ＭＨｚ、６４０ＭＨｚ等の累積的な帯域幅を占有するＯＦＤＭデータユニットである場合、ＨＥＷ―ＳＴＦ、複数のＨＥＷ―ＬＴＦ、ＨＥＷ―ＳＩＧＢおよびＨＥＷデータ部分は、データユニットの対応する全帯域幅を占有する。
【００３７】
図７Ｂは、一実施形態による、図７Ａにおけるデータユニット７００のＬ―ＳＩＧ７０６、ＨＥＷ―ＳＩＧＡ１  ７０８―１およびＨＥＷ―ＳＩＧＡ２  ７０８―２の変調を図示する１セットの図である。本実施形態において、Ｌ―ＳＩＧ７０６、ＨＥＷ―ＳＩＧＡ１  ７０８―１およびＨＥＷ―ＳＩＧＡ２  ７０８―２フィールドは、ＩＥＥＥ８０２．１１ａｃ規格において規定され、図６Ｂに図示される対応するフィールドの変調と同一の変調を有する。従って、ＨＥＷ―ＳＩＧＡ１フィールドは、Ｌ―ＳＩＧフィールドと同様に変調される。他方、ＨＥＷ―ＳＩＧＡ２フィールドは、Ｌ―ＳＩＧフィールドの変調と比較して９０°回転される。
【００３８】
一実施形態において、データユニット７００のＬ―ＳＩＧ７０６、ＨＥＷ―ＳＩＧＡ１  ７０８―１およびＨＥＷ―ＳＩＧＡ２  ７０８―２フィールドの変調は、ＩＥＥＥ８０２．１１ａｃ規格に準拠するデータユニット（例えば、図５のデータユニット５００）における対応する複数のフィールドの変調に対応するので、ＩＥＥＥ８０２．１１ａ規格および／またはＩＥＥＥ８０２．１１ｎ規格に準拠して動作するように構成された複数のレガシクライアント局は、少なくともいくつかの条件でデータユニット７００がＩＥＥＥ８０２．１１ａｃ規格に準拠すると想定し、これに応じてデータユニット７００を処理する。例えば、ＩＥＥＥ８０２．１１ａ規格に準拠するクライアント局は、データユニット７００のプリアンブルのレガシＩＥＥＥ８０２．１１ａ規格部分を理解し、Ｌ―ＳＩＧ７０６に示された持続時間に応じてデータユニットの持続時間を設定する。一実施形態によれば、例えば、レガシクライアント局は、Ｌ―ＳＩＧフィールド７０６に示されたレートおよび長さ（例えばバイト数）に基づいて持続時間を算出する。一実施形態において、Ｌ―ＳＩＧフィールド７０６におけるレートおよび長さは、レガシ通信プロトコルに準拠して動作するように構成されたクライアント局がレートおよび長さに基づいて、データユニット７００の実際の持続時間に対応するか、または少なくともこれに近いパケット持続時間（Ｔ）を算出するように設定される。一実施形態において、例えば、レートは、ＩＥＥＥ８０２．１１ａ規格により規定された最も低いレート（すなわち６Ｍｂｐｓ）を示すように設定され、長さは、最も低いレートを用いて計算されたパケットの持続時間がデータユニット７００の実際の持続時間に少なくとも近くなるように計算される値に設定される。
【００３９】
一実施形態において、ＩＥＥＥ８０２．１１ａ規格に準拠するレガシクライアント局は、データユニット７００を受信する場合に、例えば、Ｌ―ＳＩＧフィールド７０６のレートおよび長さのフィールドを用いてデータユニット７００のパケット持続時間を計算し、一実施形態において、クリアチャネル評価（ＣＣＡ）を実行する前に計算済みパケット持続時間が終了するまで、待機する。従って、本実施形態において、通信媒体は、少なくともデータユニット７００の持続時間中にレガシクライアント局によるアクセスから保護される。一実施形態において、レガシクライアント局は、データユニット７００を継続してデコードするが、データユニット７００の終わりで（例えば、フレームチェックシーケンス（ＦＣＳ）を用いる）エラーチェックに失敗する。
【００４０】
同様に、一実施形態において、ＩＥＥＥ８０２．１１ｎ規格に準拠して動作するように構成されたレガシクライアント局は、データユニット７００を受信すると、データユニット７００のＬ―ＳＩＧ７０６において示されたレートおよび長さに基づいて、データユニット７００のパケット持続時間（Ｔ）を計算する。レガシクライアント局は、第１のＨＥＷ信号フィールド（ＨＥＷ―ＳＩＧＡ１）７０８―１（ＢＰＳＫ）の変調を検出し、データユニット７００がＩＥＥＥ８０２．１１ａ規格に準拠するレガシデータユニットであると想定する。一実施形態において、レガシクライアント局は、データユニット７００を継続してデコードするが、データユニットの最後で（例えば、フレームチェックシーケンス（ＦＣＳ）を用いる）エラーチェックに失敗する。いずれにせよ、ＩＥＥＥ８０２．１１ｎ規格に準拠して、レガシクライアント局は一実施形態において、クリアチャネル評価（ＣＣＡ）を実行する前に、計算済みのパケット持続時間（Ｔ）が終了するまで待機する。従って、一実施形態において、通信媒体は、埋め込みにおけるデータユニット７００の持続時間中にレガシクライアント局によるアクセスから保護される。
【００４１】
一実施形態において、第１の通信プロトコルではなくＩＥＥＥ８０２．１１ａｃ規格に準拠して動作するように構成されたレガシクライアント局は、データユニット７００を受信すると、データユニット７００のＬ―ＳＩＧ７０６において示されたレートおよび長さに基づいて、データユニット７００のパケット持続時間（Ｔ）を計算する。しかし、一実施形態においてレガシクライアント局は、データユニット７００の変調に基づいて、データユニット７００がＩＥＥＥ８０２．１１ａｃ規格に準拠しないことを検出することができない。いくつかの実施形態において、データユニット７００の１または複数のＨＥＷ信号フィールド（例えば、ＨＥＷ―ＳＩＧＡ１および／またはＨＥＷ―ＳＩＧＡ２）は、データユニット７００をデコードする場合にレガシクライアント局にエラーを意図的に検出させ、従ってデータユニット７００のデコードを中止させる（または「ドロップ」させる）ようにフォーマット化される。一実施形態において、例えば、データユニット７００のＨＥＷ―ＳＩＧＡ７０８は、ＳＩＧＡフィールドがＩＥＥＥ８０２．１１ａｃ規格に準拠してレガシデバイスによりデコードされる場合に、意図的にエラーを生じさせるようにフォーマット化される。更に、実施形態において、ＩＥＥＥ８０２．１１ａｃ規格に準拠して、ＶＨＴ―ＳＩＧＡフィールドをデコードするときにエラーが検出されると、クライアント局は、データユニット７００をドロップし、クリアチャネル評価（ＣＣＡ）を実行する前に、例えばデータユニット７００のＬ―ＳＩＧ７０６に示されたレートおよび長さに基づいて算出された計算済みパケット持続時間（Ｔ）が終了するまで待機する。従って、一実施形態において、通信媒体は、埋め込みにおけるデータユニット７００の持続時間中にレガシクライアント局によりアクセスから保護される。
【００４２】
図８は、一実施形態によるＯＦＤＭシンボル８００の図である。一実施形態において、図７Ａのデータユニット７００は、ＯＦＤＭシンボル８００等、複数のＯＦＤＭシンボルを含む。ＯＦＤＭシンボル８００は、ガードインターバル部分８０２および情報部分８０４を含む。一実施形態において、ガードインターバルは、ＯＦＤＭシンボルの最後の部分を反復するサイクリックプレフィックスを含む。一実施形態において、ガードインターバル部分８０２は、受信デバイス（例えば、クライアント局２５―１）においてＯＦＤＭトーンの直交性を確実にして、ＯＦＤＭシンボル８００が送信デバイス（例えば、ＡＰ１４）から受信デバイスへと送信される、通信チャネルにおけるマルチパス伝播に起因するシンボル間干渉を最小化もしくは除去するべく用いられる。一実施形態において、ガードインターバル部分８０２の長さは、送信デバイスと受信デバイスとの間の通信チャネルにおいて予期される最悪の場合のチャネルの遅延広がりに基づき、選択される。一実施形態において、例えば、より長いガードインターバルは、通常はより短いチャネルの遅延広がりにより特徴付けられる複数の屋内通信チャネルに対して選択されたより短いガードインターバルと比較して、通常は長いチャネルの遅延広がりにより特徴付けられる複数の屋外通信チャネルに対して選択される。
【００４３】
一実施形態によれば、ガードインターバル部分８０２は、使用される送信モードに応じてショートガードインターバル、ノーマルガードインターバルまたはロングガードインターバルに対応している。一実施形態において、ショートガードインターバルまたはノーマルガードインターバルは、複数の屋内通信チャネルもしくは比較的短いチャネルの遅延広がりを有する複数の通信チャネルに用いられ、ロングガードインターバルは、複数の屋外通信チャネルもしくは比較的長い遅延広がりを有する複数の通信チャネルに用いられる。一実施形態において、ノーマルガードインターバルもしくはショートガードインターバルは、ＨＥＷデータユニットがレギュラガードインターバルモードで送信される場合に、ＨＥＷデータユニット（例えば、ＨＥＷデータユニット７００）のＯＦＤＭシンボルのいくつかもしくは全てに用いられ、ロングガードインターバルは、ＨＥＷデータユニットが拡張ガードインターバルモードで送信される場合に、ＨＥＷデータユニットの少なくともいくつかのＯＦＤＭシンボルに用いられる。
【００４４】
一実施形態において、ショートガードインターバル（ＳＧＩ）は０．４μｓの長さを有し、ノーマルガードインターバルＮＧＩは０．８μｓであり、ロングガードインターバル（ＬＧＩ）は１．２μｓまたは１．８μｓの長さを有する。一実施形態において、情報部分８０４は３．２μｓの長さを有する。複数の他の実施形態において、ＳＧＩ、ＮＧＩ、ＬＧＩおよび／または情報部分８０４の複数の他の好適な長さが使用される。いくつかの実施形態において、ＳＧＩは、ＮＧＩの長さの５０％の長さを有し、ＮＧＩは、ＬＧＩの長さの５０％の長さを有する。複数の他の実施形態において、ＳＧＩは、ＮＧＩの長さの７５％またはこれより小さい長さを有し、ＮＧＩは、ＬＧＩの長さの７５％またはこれより小さい長さを有する。複数の他の実施形態において、ＳＧＩは、ＮＧＩの長さの５０％またはこれより小さい長さを有し、ＮＧＩは、ＬＧＩの５０％またはこれより小さい長さを有する。
【００４５】
いくつかの実施形態において、拡張ガードインターバルモードは、レギュラガードインターバルモードのノーマルガードインターバルの持続時間を用いるが、拡張ガードインターバルモードでガードインターバルの持続時間を効果的に拡張する異なるＯＦＤＭ変調を用いる。例えば、一実施形態において、小さくされたトーンの間隔を伴うＯＦＤＭ変調は、拡張ガードインターバルモードで用いられる。例えば、２０ＭＨｚの帯域幅のＯＦＤＭデータユニットのレギュラガードインターバルモードは、６４点の離散フーリエ変換（ＤＦＴ）を用いて６４のＯＦＤＭトーンをもたらし、拡張ガードインターバルモードは、２０ＭＨｚのＯＦＤＭデータユニットに１２８点のＤＦＴを用いて同一の帯域幅の１２８のＯＦＤＭトーンをもたらす。この場合、拡張ガードインターバルモードのＯＦＤＭシンボルにおけるトーンの間隔は、レギュラガードインターバルモードのＯＦＤＭシンボルと比較して２の係数（１／２）減少する。別の例として、２０ＭＨｚの帯域幅のＯＦＤＭデータユニットのレギュラガードインターバルモードは、６４点の離散フーリエ変換（ＤＦＴ）を用いて６４のＯＦＤＭトーンをもたらし、拡張ガードインターバルモードは、２０ＭＨｚのＯＦＤＭデータユニットに２５６点のＤＦＴを用いて同一の帯域幅の２５６のＯＦＤＭトーンをもたらす。この場合、拡張ガードインターバルモードのＯＦＤＭシンボルにおけるトーンの間隔は、レギュラガードインターバルモードのＯＦＤＭシンボルと比較して４の係数（１／４）減少する。複数のそのような実施形態において、例えば、１．６μｓのロングＧＩ持続時間が用いられる。しかし、一実施形態において、拡張ガードインターバルモードのＯＦＤＭシンボルにおける情報部分の持続時間は（例えば、３．２μｓから６．４μｓへと）増大し、全ＯＦＤＭシンボルの持続時間に対するＧＩ部分の持続時間のパーセンテージは、依然として同一である。従ってこの場合、少なくともいくつかの実施形態において、より長いＧＩシンボルに起因する効率性の低下が回避される。様々な実施形態において、本明細書において用いられる「ロングガードインターバル」という用語は、ガードインターバルの増大した持続時間およびガードインターバルの持続時間を効果的に増大させる小さくしたＯＦＤＭトーン間隔を含む。
【００４６】
図９Ａは、一実施形態による、ノーマルガードインターバルがデータユニットのプリアンブルに用いられる例示的なデータユニット９００を図示する図である。一般に、データユニット９００は、図７Ａのデータユニット７００と同一であり、図７Ａのデータユニット７００と同一の符号の要素を含む。データユニット９００のＨＥＷ―ＳＩＧＡフィールド７０８（例えば、ＨＥＷ―ＳＩＧＡ１  ７０８―１またはＨＥＷ―ＳＩＧＡ２  ７０８―２）は、ＧＩ表示９０２を含む。一実施形態によれば、ＧＩ表示９０２は、（ｉ）ノーマルガードインターバル、（ｉｉ）ショートガードインターバルまたは（ｉｉｉ）ロングガードインターバルのうち１つを示すように設定されている。一実施形態において、ガードインターバル（ＧＩ）の表示９０２は２ビットを含み、複数のビット値の第１の組み合わせはノーマルガードインターバルを示し、複数のビット値の第２の組み合わせはショートガードインターバルを示し、複数のビット値の第３の組み合わせはロングガードインターバルを示す。図９Ａに図示されるように、ノーマルガードインターバルは、データユニット９００のプリアンブルの全てのＯＦＤＭシンボルに用いられ、図示される実施形態において、ＧＩ表示９０２により示されるノーマルガードインターバル、ショートガードインターバルおよびロングガードインターバルのうち１つは、データ部分７１６のＯＦＤＭシンボルに用いられる。
【００４７】
図９Ｂは、一実施形態による、ノーマルガードインターバルがデータユニットのプリアンブルの一部に用いられる例示的なデータユニット９５０を図示する図である。一般に、データユニット９５０は、ＧＩ表示９０２により示されるガードインターバルがプリアンブル７５１の一部における複数のＯＦＤＭシンボルおよびデータ部分７１６の複数のＯＦＤＭシンボルに適用されるプリアンブル７５１を、データユニット９５０が含むことを除き、図９Ａのデータユニット９００と同一である。具体的には、図示される実施形態において、ノーマルガードインターバルは、プリアンブル７０１の第１の部分７５１―１に用いられ、ＧＩ表示９０２により示されるノーマルガードインターバル、ショートガードインターバルおよびロングガードインターバルのうち１つは、データ部分７１６の複数のＯＦＤＭシンボルに加えて、プリアンブル７５１の第２の部分７５１―２の複数のＯＦＤＭシンボルに用いられる。従って、ＧＩ表示９０２により示されるガードインターバルは、ＨＥＷ―ＳＴＦ７１０に対応するＯＦＤＭシンボルをスキップし、図示される実施形態において、ＨＥＷ―ＳＴＦ７１２―１に対応するＯＦＤＭシンボルから開始して、適用される。少なくともいくつかの実施形態において、ＨＥＷ―ＳＴＦ７１０をスキップすることにより、データユニット９５０を受信するデバイスに、ＧＩ表示９０２をデコードするのに十分な時間を許容し、複数のＯＦＤＭシンボルを受信する前に、ＧＩ表示９０２により示されたガードインターバルを用いてそのような複数のＯＦＤＭシンボルのデコードを開始するようにレシーバを適切に設定することを可能にする。
【００４８】
図１０Ａは、一実施形態による、ガードインターバルの持続時間を効果的に増大させるべく、ＯＦＤＭトーンの間隔が用いられる例示的なデータユニット１０００を図示する図である。一般に、データユニット１０００は、データユニット１０００において、ロングＧＩが使用されているとＧＩ表示９０２が示すと、データユニット１０００のノーマルガードインターバルの複数のＯＦＤＭシンボルに用いられるトーンの間隔と比較して小さいトーンの間隔を有するＯＦＤＭ変調を用いて、データ部分７１６の複数のＯＦＤＭシンボルが生成されることを除き、図７Ａのデータユニット９００と同一である。
【００４９】
図１０Ｂは、別の実施形態による、ガードインターバルの持続時間を効果的に増大させるべく、ＯＦＤＭトーンの間隔が用いられる例示的なデータユニット１０５０を図示する図である。一般に、データユニット１０５０は、データユニット１０５０において、ロングＧＩが使用されているとＧＩ表示９０２が示すと、データユニット１０５０のノーマルガードインターバルの複数のＯＦＤＭシンボルに用いられるトーンの間隔と比較して小さいトーンの間隔を有するＯＦＤＭ変調を用いて、第２の部分７５１―２の複数のＯＦＤＭシンボルおよびデータ部分７１６の複数のＯＦＤＭシンボルが生成されることを除き、図９Ｂのデータユニット９５０と同一である。
【００５０】
いくつかの実施形態において、異なるプリアンブルフォーマットは、拡張ガードインターバルモードの複数のデータユニットに用いられ、レギュラガードインターバルモードの複数のデータユニットに用いられるプリアンブルと比較される。複数のそのような実施形態において、データユニットを受信するデバイスは、データユニットのプリアンブルのフォーマットに基づいて、データユニットがレギュラガードインターバルモードのデータユニットか、または拡張ガードインターバルモードのデータユニットかを自動的検出し得る。図１１Ａは、一実施形態による、レギュラガードインターバルモードのデータユニット１１００を図示する図である。レギュラガードインターバルモードのデータユニット１１００は、レギュラガードインターバルモードのプリアンブル１１０１を含む。一般に、レギュラガードインターバルモードのプリアンブル１１０１は、図７Ａのデータユニット７００のプリアンブル７０１と同一である。一実施形態において、プリアンブル１１０１は、ＨＥＷ―ＳＩＧＡフィールド１１０８を含み、これは第１のＨＥＷ―ＳＩＧＡ１フィールド１１０８―１および第２のＨＥＷ―ＳＩＧＡ２フィールド１１０８―２を含む。一実施形態において、プリアンブル１１０１のＨＥＷ―ＳＩＧＡフィールド１１０８（例えば、ＨＥＷ―ＳＩＧＡ１  １１０８―１またはＨＥＷ―ＳＩＧＡ２  １１０８―２）は、ＧＩ表示１１０２を含む。一実施形態において、ＧＩ表示１１０２は、ノーマルガードインターバルまたはショートガードインターバルがデータユニット１１００のデータ部分７１６の複数のＯＦＤＭシンボルに用いられているか否かを示すように設定される。一実施形態において、ＧＩ表示１１０２は１ビットを含み、ビットの第１の値はノーマルガードインターバルを示し、ビットの第２の値はショートＧＩを示す。以下により詳細に説明されるように、一実施形態において、データユニット１１００を受信するデバイスは、プリアンブル１１０１のフォーマットに基づいて、プリアンブル１１０１がレギュラガードインターバルモードのプリアンブルであり、拡張ガードインターバルモードのプリアンブルではないことを検出することができる。一実施形態において、プリアンブル１１０１がレギュラガードインターバルモードのプリアンブルであることを検出すると、受信デバイスは、ＧＩ表示１１０２に基づいてノーマルガードインターバルまたはショートガードインターバルがデータ部分７１６の複数のＯＦＤＭシンボルに用いられているか否かを判断し、従ってデータ部分７１６をデコードする。
【００５１】
図１１Ｂは、一実施形態による、拡張ガードインターバルモードのデータユニット１１５０を図示する図である。拡張ガードインターバルモードのデータユニット１１５０は、拡張ガードインターバルモードのプリアンブル１１５１を含む。一般に、データユニット１１５０は、データユニット１１５０のプリアンブル１１５１がデータユニット１１００のプリアンブル１１０１とは異なるようにフォーマット化されることを除き、図１１Ａのデータユニット１１００に類似する。一実施形態において、プリアンブル１１５１は、プリアンブル１１５１がレギュラガードインターバルモードのプリアンブルではなく、拡張ガードインターバルモードのプリアンブルであることを、ＨＥＷ通信プロトコルに準拠して動作する受信デバイスが判断することができるようにフォーマット化される。一実施形態において、拡張ガードインターバルモードのプリアンブル１１５１は、Ｌ―ＳＴＦ７０２、Ｌ―ＬＴＦ７０４およびＬ―ＳＩＧ７０６、ならびに１もしくは複数の第１のＨＥＷ信号フィールド（ＨＥＷ―ＳＩＧＡ）１１５２を含む。一実施形態において、プリアンブル１１５１は、Ｌ―ＳＩＧフィールド７０６に続く１または複数の二次Ｌ―ＳＩＧ１１５４を更に含む。いくつかの実施形態において、複数の二次Ｌ―ＳＩＧ１１５４の次には、第２のＬ―ＬＴＦフィールド（Ｌ―ＬＴＦ２）１１５６が続く。複数の他の実施形態において、プリアンブル１１５１は、Ｌ―ＳＩＧ１１５２および／またはＬ―ＬＴＦ２  １１５４を省略する。また、いくつかの実施形態において、プリアンブル１１５１は、ＨＥＷ―ＳＴＦ１１５８、１もしくは複数のＨＥＷ―ＬＴＦフィールド１１６０、および第２のＨＥＷ信号フィールド（ＨＥＷ―ＳＩＧＢ）１１６２を含む。複数の他の実施形態において、プリアンブル１１５１は、ＨＥＷ―ＳＴＦ１１５６、ＨＥＷ―ＬＴＦ１１５８および／またはＨＥＷ―ＳＩＧＢを省略する。一実施形態において、データユニット１１５０は、データ部分７１６（図１１Ｂに図示せず）も含む。
【００５２】
プリアンブル１１５１が１または複数の二次Ｌ―ＬＳＩＧ１１５４を含む一実施形態において、Ｌ―ＬＳＩＧ１１５４の各々の内容は、データユニット１１５０のＬ―ＬＳＩＧ７０６の内容と同一である。一実施形態において、データユニット１１５０を受信する受信デバイスは、Ｌ―ＳＩＧフィールド７０６、１１５４の反復を検出することにより、プリアンブル１１５１が拡張ガードインターバルモードプリアンブルに対応していると判断する。更に、一実施形態において、Ｌ―ＳＩＧ７０６のレートサブフィールドおよび長さサブフィールドの双方が、従って二次Ｌ―ＳＩＧ１１５４のレートサブフィールドおよび長さサブフィールドが固定された（例えば、予め定められた）複数の値に設定される。この場合、一実施形態において、Ｌ―ＳＩＧフィールド７０６、１１５４の反復を検出すると、受信デバイスは、反復する複数のＬ―ＳＩＧフィールドの固定値を追加のトレーニング情報として用いてチャネル推定を改善する。しかし、いくつかの実施形態において、Ｌ―ＳＩＧ７０６の少なくとも長さサブフィールド、従って二次Ｌ―ＳＩＧ１１５４の少なくとも長さフィールドは、固定値に設定されない。例えば、これに代えて一実施形態において、長さフィールドは、データユニット１１５０の実際の長さに基づいて判断された値に設定される。そのような一実施形態において、受信デバイスは、まずＬ―ＳＩＧ７０６をデコードし、次にＬ―ＳＩＧ７０６における長さサブフィールドの値を用いて、Ｌ―ＳＩＧフィールド７０６、１１５４におけるの反復を検出する。別の実施形態において、受信デバイスは、まずＬ―ＳＩＧフィールド７０６、１１５４の反復を検出し、次に検出されたＬ―ＳＩＧフィールド７０６、１１５４を組み合わせてＬ―ＳＩＧフィールド７０６、１１５４のデコードの信頼性を改善し、および／またはＬ―ＳＩＧフィールド７０６、１１５４における冗長情報を用いてチャネル推定を改善する。
【００５３】
プリアンブル１１５１がＬ―ＬＴＦ１１５６を含む一実施形態において、Ｌ―ＬＴＦ１１５６のＯＦＤＭシンボルは、ロングガードインターバル（例えば、長くされた持続時間のガードインターバルまたは小さくしたＯＦＤＭトーン間隔のガードインターバル）を用いて生成される。プリアンブル１１５１がＬ―ＬＴＦ１１１５６を含む別の実施形態において、Ｌ―ＬＴＦ２  １５０６のＯＦＤＭシンボルは、ノーマルガードインターバルを用いて生成される。一実施形態において、例えば、Ｌ―ＬＴＦ７０４において用いられるダブルガードインターバル（ＤＧＩ）が、送信デバイスから受信デバイスへとデータユニット１１５０が進む通信チャネルに対して十分に長い場合、Ｌ―ＬＴＦ２  １５０６の複数のＯＦＤＭシンボルは、ノーマルガードインターバルを用いて生成され、または代替的にプリアンブル１１５１は、Ｌ―ＬＴＦ１５５６を省略する。
【００５４】
別の実施形態において、プリアンブル１１５１は、二次Ｌ―ＳＩＧ１１５４を省略するが、Ｌ―ＬＴＦ２  １１５６を含む。本実施形態において、受信デバイスは、Ｌ―ＬＴＦ２  １１５６の存在を検出することにより、プリアンブル１１５１が拡張レンジのプリアンブルであることを検出する。図１２Ａ〜図１２Ｂは、２つの例示的な実施形態による、Ｌ―ＬＴＦ２  １１５６として用いるのに好適なＬＴＦの２つの可能なフォーマットを図示する図である。まず図１２Ａを参照すると、第１の例示的な実施形態において、Ｌ―ＬＴＦ２  １２００は、Ｌ―ＬＴＦ７０４と同様に、すなわちレガシ通信プロトコル（例えば、ＩＥＥＥ８０２．１１ａ／ｎ／ａｃ規格）により規定されるようにフォーマット化される。具体的には、図示される実施形態において、Ｌ―ＬＴＦ２  １２００は、ダブルガードインターバル（ＤＧＩ）１２０２を含み、その次にロングトレーニングシーケンス１２０４、１２０６の２つの反復が続く。ここで図１２Ｂを参照すると、別の例示的な実施形態において、Ｌ―ＬＴＦ２  １２０８は、Ｌ―ＬＴＦ７０４とは異なるようにフォーマット化される。具体的には、図示される実施形態において、Ｌ―ＬＴＦ２  １２０８は、第１のノーマルガードインターバル１２１０、ロングトレーニングシーケンス１２１２の第１の反復、第２のノーマルガードインターバル１２１４、およびロングトレーニングシーケンス１２１６の第２の反復を含む。
【００５５】
再び図１１Ａおよび図１１Ｂを参照すると、一実施形態において、ＨＥＷ―ＳＩＧＡ１１５２は、ロングガードインターバル（例えば、長くされた持続時間のガードインターバルまたは小さくしたＯＦＤＭトーン間隔のガードインターバル）を用いて生成される。一実施形態において、ＨＥＷ―ＳＩＧＡ１１５２の数は、レギュラガードインターバルモードのプリアンブル１１０１のＨＥＷ―ＳＧＡ１１０８の数と同一である。同様に、一実施形態において、ＨＥＷ―ＳＩＧＡ１１５２の内容は、レギュラガードインターバルモードのプリアンブル１１０１のＨＥＷ―ＳＩＧＡ１１０８の内容と同一である。複数の他の実施形態において、ＨＥＷ―ＳＩＧＡ１１５２の数および／または内容は、レギュラガードインターバルモードのプリアンブル１１０１のＨＥＷ―ＳＧＡ１１０８の数および／または内容とは異なる。一実施形態において、データユニット１１５０を受信するデバイスは、プリアンブル１１５１が拡張ガードインターバルモードのプリアンブルに対応することを検出したことに基づいて、ロングガードインターバルを用いてＨＥＷ―ＳＩＧＡ１１５２をデコードし、拡張ガードインターバルモードについて規定されるようにＨＥＷ―ＳＩＧＡ１１５２を適切に解釈する。
【００５６】
プリアンブル１１５１がＬ―ＳＩＧ１１５４および／またはＬ―ＬＴＦ２  １１５６を省略する実施形態において、ロングガードインターバルおよびノーマルガードインターバルを用いるＨＥＷ―ＳＩＧＡフィールドの自動相関に基づいて、プリアンブルにおけるＨＥＷ―ＳＩＧＡフィールドが、ロングガードインターバルまたはノーマルガードインターバルを用いて生成されるか否かを検出することにより、受信デバイスは、プリアンブルが拡張ガードインターバルモードのプリアンブル１１５１に対応するか、またはノーマルガードインターバルのプリアンブル１１０１に対応するかを判断する。図１３Ａ〜図１３Ｂは、一実施形態による、レギュラガードインターバルモードのプリアンブル１１０１のＨＥＷ―ＳＩＧＡ１１０８および拡張ガードインターバルモードのプリアンブル１１５１のＨＥＷ―ＳＩＧＡ１１５２の各々の図である。図示される実施形態において、レギュラガードインターバルモードのプリアンブル１１０１のＨＥＷ―ＳＩＧＡ１１０８は、第１のＮＧＩ１３０２、第１のＨＥＷ―ＳＩＧＡフィールド１３０４、第２のＮＧＩ１３０６および第２のＨＥＷ―ＳＩＧＡフィールド１３０８を含む。他方、拡張ガードインターバルモードのプリアンブル１１５１のＨＥＷ―ＳＩＧＡ１１５２は、第１のＬＧＩ１３１０、第１のＨＥＷ―ＳＩＧＡフィールド１３１２、第２のＬＧＩ１３１４および第２のＨＥＷ―ＳＩＧＡフィールド１３１２を含む。一実施形態において、受信デバイスは、図１３Ａに図示される構造等のノーマルガードインターバル構造を用いてＨＥＷ―ＳＩＧＡフィールドの第１の自動相関を実行し、図１３Ｂに図示される構造等のロングガードインターバル構造を用いて第２の自動相関を実行し、一実施形態における複数の自動相関結果の比較を実行する。一実施形態において、ロングガードインターバルを用いるＨＥＷ―ＳＩＧＡフィールドの自動相関が、ノーマルガードインターバルを用いるＨＥＷ―ＳＩＧＡフィールドの自動相関の結果と比較してより大きい結果を生成する場合、受信デバイスは、プリアンブルが拡張ガードインターバルモードのプリアンブル１１５１に対応していると判断する。他方、一実施形態において、ノーマルガードインターバルを用いるＨＥＷ―ＳＩＧＡフィールドの自動相関が、ロングガードインターバルによるＨＥＷ―ＳＩＧＡフィールドの自動相関の結果と比較して大きい結果を生成する場合、受信デバイスは、プリアンブルがレギュラガードインターバルモードのプリアンブル１１０１に対応していると判断する。
【００５７】
再び図１１Ｂを参照すると、一実施形態において、プリアンブル１１５１は、レガシクライアント局がデータユニット１１５０の持続時間および／またはデータユニットがレガシ通信プロトコルに準拠していないことを判断し得るようにフォーマット化される。更に、実施形態において、プリアンブル１１５１は、データユニットがＨＥＷ通信プロトコルに準拠することを、ＨＥＷプロトコルに従って動作するクライアント局が判断できるようにフォーマット化される。例えば、Ｌ―ＬＳＩＧ１１５４および／またはＬ―ＬＴＦ２  １１５６および／またはＨＥＷ―ＳＩＧＡ１１５２等、プリアンブル１１５１のＬ―ＳＩＧ７０６の直後に続く少なくとも２つのＯＦＤＭシンボルは、ＢＰＳＫ変調を用いて変調される。この場合、一実施形態において、レガシクライアント局は、データユニット１１５０をレガシデータユニットとして処理し、Ｌ―ＳＩＧ７０６に基づいてデータユニットの持続時間を判断し、判断される持続時間中に媒体にアクセスするのを控える。更に、一実施形態において、ＨＥＷ―ＳＩＧＡ１１５２のうち１または複数等、プリアンブル１１５１の１または複数の他のＯＦＤＭシンボルは、ＢＰＳＫ変調を用いて変調され、ＨＥＷ通信プロトコルに準拠して動作するクライアント局が、データユニット１１５０がＨＥＷ通信プロトコルに準拠していることを検出することを可能にする。
【００５８】
いくつかの実施形態において、ＨＥＷ通信プロトコルは、拡張ガードインターバルモードでビーム形成および／またはマルチユーザＭＩＭＯ（ＭＵ―ＭＩＭＯ）送信を可能にする。複数の他の実施形態において、ＨＥＷ通信プロトコルは、拡張ガードインターバルモードで１つのストリームのみ、および／または１ユーザの送信のみを可能にする。引き続き図１１Ｂを参照すると、プリアンブル１１５１がＨＥＷ―ＳＴＦ１１５８およびＨＥＷ―ＬＴＦ１１６０を含む実施形態において、ＡＰ１４は、ビーム形成および／またはマルチユーザ送信を適用し、ＨＥＷ―ＳＴＦ１１５８を開始する。換言すると、一実施形態において、プリアンブル１１５１の複数のフィールドは、ＨＥＷ―ＳＴＦ１１５８に先行し、オムニ指向性でマルチユーザモードであり、データユニット１１５０の全ての意図された複数の受信者により受信されることを意図されるが、ＨＥＷ―ＳＴＦフィールド１１５８、ならびにＨＥＷ―ＳＴＦフィールド１１５８に続く複数のプリアンブルフィールドおよびプリアンブル１１５１に続くデータ部分は、ビーム形成され、および／またはデータユニット１１５０の異なる意図された複数の受信者により受信されることを意図された異なる複数の部分を含む。一実施形態において、ＨＥＷ―ＳＩＧＢフィールド１６２は、ＭＵ―ＭＩＭＯモードのデータユニット１１５０の意図された複数の受信者についてのユーザ特定情報を含む。ＨＥＷ―ＳＩＧＢフィールド１６２は、実施形態に応じて、ＮＧＩまたはＬＧＩを用いて生成される。同様に、ＨＥＷ―ＳＴＦ１１５８は、実施形態に応じて、ＮＧＩまたはＬＧＩを用いて生成される。一実施形態において、ＨＥＷ―ＳＴＦ１１５８に用いられるトレーニングシーケンスは、ＩＥＥＥ８０２．１１ａｃプロトコル等、レガシ通信プロトコルにおいて規定されたシーケンスである。
【００５９】
他方、プリアンブル１１５１がＨＥＷ―ＳＴＦ１１５８およびＨＥＷ―ＬＴＦ１１６０を省略する実施形態において、ビーム形成およびＭＵＭＩＭＯは、拡張ガードインターバルモードでは可能とされない。本実施形態において、単一ユーザ・単一ストリームによる送信のみが、拡張ガードインターバルモードで可能とされる。一実施形態において、受信デバイスは、Ｌ―ＬＴＦフィールド７０４に基づいて１つのストリームチャネル推定を取得し、Ｌ―ＬＴＦフィールド７０４に基づいて取得されたチャネル推定に基づいて、データユニット１１５０のデータ部分を復調する。
【００６０】
図１４Ａは、一実施形態による、拡張ガードインターバルモードのデータユニット１４００を図示するブロック図である。データユニット１４００は、拡張ガードインターバルモードのプリアンブル１４０１を含む。一般に、拡張ガードインターバル１４０１は、Ｌ―ＳＩＧ７０６およびプリアンブル１１５１の二次Ｌ―ＳＩＧ１１５４が組み合わされてプリアンブル１４０１の１つのＬ―ＳＩＧフィールド１４０６になっていることを除き、図１１Ｂの拡張ガードインターバルモード１１５１に類似する。図１４Ｂは、一実施形態によるＬ―ＳＩＧフィールド１４０６を図示する図である。図１４Ｂの実施形態において、Ｌ―ＳＩＧフィールド１４０６は、ダブルガードインターバル１４１０、プリアンブル１１５１のＬ―ＳＩＧフィールド７０６の内容を含む第１のＬ―ＳＩＧフィールド１４１２、プリアンブル１１５１の二次Ｌ―ＳＩＧ２フィールド１１５４の内容を含む第２Ｌ―ＳＩＧフィールド１４１４を含む。様々な実施形態において、Ｌ―ＳＩＧフィールド１４０６は、図１１ＢにおけるＬ―ＳＩＧフィールド７０６、１１５４に関して上述されたように、固定値に設定され、または変数値に設定された長さサブフィールドを含む。様々な実施形態において、Ｌ―ＳＩＧフィールド１４０６の冗長（反復される）ビットは、図１１ＢのＬ―ＳＩＧフィールド７０６、１１５４に関する上述の改善されたチャネル推定に用いられる。
【００６１】
一実施形態において、データユニット１４００を受信するレガシクライアント局は、Ｌ―ＳＩＧフィールド１４０６がノーマルガードインターバルを含むと想定する。図１４Ｃに図示されるように、本実施形態において、レガシクライアント局において想定されるＬ―ＳＩＧ情報ビットのＦＦＴウインドウは、実際のＬ―ＳＩＧフィールド１４１２と比較してシフトされる。一実施形態において、ＦＦＴウインドウ内の複数のコンスタレーションポイントがレガシクライアント局により予期されるＢＰＳＫ変調に対応することを確実にし、このためにレガシクライアント局がＬ―ＳＩＧフィールド１４１２を適切にデコードすることを可能にするべく、Ｌ―ＳＩＧフィールド１４１２の変調は、レギュラＢＰＳＫ変調に対して位相変化される。例えば、２０ＭＨｚのＯＦＤＭシンボルにおいて、ノーマルガードインターバルが０．８μｓであり、ダブルガードインターバルが１．６μｓである場合、Ｌ―ＳＩＧフィールド１４１２のＯＦＤＭトーンｋの変調は、次式から見られ得る元のＬ―ＳＩＧの対応するＯＦＤＭトーンｋに対してシフトされる。
【数１】
2016536910.tif 000003
従って、一実施形態において、Ｌ―ＳＩＧフィールド１４１２は、レギュラＢＰＳＫではなく反転Ｑ―ＢＰＳＫを用いて変調される。従って、一実施形態において、例えばビット値１は−ｊに変調され、ビット値０はｊに変調されて、レギュラな｛１，−１｝ＢＰＳＫ変調ではなく｛ｊ，−ｊ｝変調をもたらす。一実施形態において、Ｌ―ＳＩＧフィールド１４１２の反転Ｑ―ＢＰＳＫ変調により、レガシクライアント局は、Ｌ―ＳＩＧフィールド１４１２を適切にデコードして、一実施形態において、Ｌ―ＳＩＧ１４１２フィールドに基づいてデータユニット１４００の持続時間を判断し得る。他方、一実施形態において、ＨＥＷプロトコルに準拠して動作するクライアント局は、Ｌ―ＳＩＧフィールド１４１２の反復を検出し、またはレガシクライアント局のＦＦＴウインドウ内でＬ―ＳＩＧフィールドの反転Ｑ―ＢＰＳＫ変調を検出することにより、プリアンブル１４０１が拡張ガードインターバルモードのプリアンブルであることを自動検出し得る。あるいは、複数の他の実施形態において、ＨＥＷプロトコルに準拠して動作するクライアント局は、プリアンブル１４０１がＨＥＷ―ＳＩＧＡフィールド１１５２の変調またはフォーマット等に基づいて、上述の他の複数の検出方法を用いる拡張ガードインターバルモードのプリアンブルであることを検出する。
【００６２】
図１１Ａ〜図１１Ｂおよび図１４Ａを参照すると、いくつかの実施形態において、ロングガードインターバルは、レギュラガードインターバルモードのプリアンブル（例えば、プリアンブル１１０１）およびロングガードインターバルのプリアンブル（例えば、プリアンブル１１５１またはプリアンブル１４０１）の双方の初期ＯＦＤＭシンボルに用いられる。例えば、図１１Ａ〜図１１Ｂを参照すると、一実施形態において、Ｌ―ＳＴＦフィールド７０２、Ｌ―ＬＴＦフィールド７０４およびＬ―ＳＩＧフィールド７０６、１１５４、ならびにＨＥＷ―ＳＩＧＡフィールド１１５２は、ロングガードインターバルを用いて各々生成される。同様に、一実施形態において、図１４Ａを参照すると、Ｌ―ＳＴＦフィールド７０２、Ｌ―ＬＴＦフィールド７０４、Ｌ―ＳＩＧフィールド１４０６およびＨＥＷ―ＳＩＧＡ１１５２は、ロングガードインターバルを用いて生成される。一実施形態において、受信デバイスは、ＨＥＷ―ＳＩＧＡフィールド１１５２（例えばＱ―ＢＰＳＫ）の変調に基づき、または様々な実施形態においてＨＥＷ―ＳＩＧＡフィールド１１５２に含まれる表示に基づいて、プリアンブルがレギュラガードインターバルモードのプリアンブルに対応するか、または拡張ガードインターバルモードのプリアンブルに対応するかを判断し得る。更に、図１１Ｂのプリアンブル１１５１と同様に、図１４Ａのプリアンブル１４０１は、実施形態および／もしくはシナリオに応じて第２のＬ―ＬＴＦ２フィールド１１５６を含み、もしくは省略する。
【００６３】
図１５は、一実施形態によるＨＥＷ―ＳＩＧＡフィールド１５００のフォーマットを図示するブロック図である。いくつかの実施形態において、データユニット１１５０またはデータユニット１４００のＨＥＷ―ＳＩＧＡフィールド１１５２は、ＨＥＷ―ＳＩＧＡフィールド１５００としてフォーマット化される。いくつかの実施形態において、ＨＥＷ―ＳＩＧＡフィールド１１０８は、ＨＥＷ―ＳＩＧＡフィールド１５００としてフォーマット化される。ＨＥＷ―ＳＩＧＡフィールド１５００は、ダブルガードインターバル１５０２、ＨＥＷ―ＳＩＧＡフィールド１５０４の第１の反復およびＨＥＷ―ＳＩＧＡ１５０６の第２の反復を含む。例示的な実施形態において、ＤＧＩは１．８μｓであり、ＨＥＷ―ＳＩＧＡの各反復は３．２μｓである。一実施形態において、ＨＥＷ―ＳＩＧＡフィールド１５００における反復されるビットは、ＨＥＷ―ＳＩＧＡフィールド１５００のデコードの信頼性を高めるべく用いられる。一実施形態において、ＨＥＷ―ＳＩＧＡフィールド１５００のフォーマットは、ＨＥＷ―ＳＩＧＡフィールド１５００のフォーマットを用いるプリアンブルのＨＥＷ―ＳＩＧＡフィールドの自動相関と、図１３Ａに図示されるフォーマット等、レギュラガードインターバルモードにおいて用いられるレギュラＨＥＷ―ＳＩＧＡフィールドフォーマットを用いるプリアンブルのＨＥＷ―ＳＩＧＡフィールドの自動相関との間の比較に基づいて、拡張ガードインターバルモードのプリアンブルを自動検出するべく用いられる。
【００６４】
図１６は、一実施形態による、データユニットを生成するための例示的な方法１６００のフロー図である。図１を参照すると、方法１６００は、一実施形態においてネットワークインターフェース１６により実装される。例えば、そのような一実施形態において、ＰＨＹ処理ユニット２０は、方法１６００を実装するように構成されている。また、別の実施形態において、ＭＡＣ処理１８は、方法１６００の少なくとも一部を実装するように構成されている。図１を引き続き参照すると、なおも別の実施形態において、方法１６００は、ネットワークインターフェース２７（例えば、ＰＨＹ処理ユニット２９および／またはＭＡＣ処理ユニット２８）により実装される。複数の他の実施形態において、方法１６００は、他の好適な複数のネットワークインターフェースにより実装される。
【００６５】
ブロック１６０２において、データユニットのデータ部分が生成される。ブロック１６０２においてデータ部分を生成する段階は、（ｉ）ノーマルガードインターバル、（ｉｉ）ショートガードインターバルまたは（ｉｉｉ）ロングガードインターバルのうち１つを用いてデータ部分の複数のＯＦＤＭシンボルを生成する段階を有する。
【００６６】
ブロック１６０４において、データユニットのプリアンブルが生成される。ブロック１６０４において生成されたプリアンブルは、（ｉ）ノーマルガードインターバル、（ｉｉ）ショートガードインターバルまたは（ｉｉｉ）ロングガードインターバルを用いて、ブロック１６０２で生成されたデータユニットの少なくともデータ部分が生成されるか否かを示すように生成される。様々な実施形態および／またはシナリオにおいて、プリアンブル７０１（図９Ａ、図１０Ａ）、７５１（図９Ｂ、図１０Ｂ）、１１０１（図１１Ａ）、１１５１（図１１Ｂ）または１４０１（図１４Ａ）のうち１つが、ブロック１６０４において生成される。複数の他の実施形態において、他の好適な複数のプリアンブルは、ブロック１６０４において生成される。一実施形態において、ブロック１６０４において生成されたプリアンブルは、（ｉ）ノーマルガードインターバル、（ｉｉ）ショートガードインターバルまたは（ｉｉｉ）ロングガードインターバルを用いて、少なくともデータ部分が生成されるか否かを示すように設定されたＧＩ表示を含む。一実施形態において、ＧＩ表示は２ビットを含む。一実施形態において、データ部分に加えて、プリアンブル部分が、ＧＩ表示により示されるガードインターバルを用いて生成される。別の実施形態において、ブロック１６０４において生成されたプリアンブルは、プリアンブルがレギュラガードインターバルのプリアンブルに対応するか、または拡張ガードインターバルモードのプリアンブルに対応するかを、受信デバイスが（例えば、デコードすることなく）自動的に検出し得るようにフォーマット化される。一実施形態において、拡張ガードインターバルのプリアンブルを検出することにより、ロングガードインターバルを用いて、少なくともデータ部分が生成されることを、受信デバイスにシグナリングする。
【００６７】
ブロック１６０６において、データユニットは、ブロック１６０４において生成されたプリアンブル、およびブロック１６０２において生成されたデータ部分を含むように生成される。
【００６８】
上記の様々なブロック、動作および技術の少なくともいくつかは、ハードウェア、複数のファームウェア命令を実行するプロセッサ、複数のソフトウェア命令を実行するプロセッサまたはこれらの任意の組み合わせを使用して実装され得る。ソフトウェア命令もしくはファームウェア命令を実行するプロセッサを使用して実装される場合、ソフトウェア命令もしくはファームウェア命令は、ＲＡＭもしくはＲＯＭ、またはフラッシュメモリ、プロセッサ、ハードディスクドライブ、光学ディスクドライブ、テープドライブ等の磁気ディスク、光学ディスク、または他のストレージ媒体等の任意のコンピュータ可読メモリに格納され得る。同様に、ソフトウェア命令もしくはファームウェア命令は、例えば、コンピュータ可読ディスクもしくは他の可搬式コンピュータストレージメカニズム上、または通信媒体によることを含む、任意の知られているか、もしくは所望の提供方法により、ユーザもしくはシステムに提供され得る。通常、通信媒体は、複数のコンピュータ可読命令、データ構造体、プログラムモジュールまたは搬送波もしくは他の搬送メカニズム等の変調済みデータ信号における他のデータを実施する。「変調済みデータ信号」という用語は、信号中の情報をエンコードするように設定もしくは変更された複数の特性のうち１または複数を有する信号を意味する。限定ではなく例として、通信媒体としては、有線ネットワークもしくは直接の有線接続等の有線媒体、ならびに音響、無線周波、赤外線および他の無線媒体等の無線媒体が挙げられる。従って、ソフトウェア命令もしくはファームウェア命令は、電話回線、ＤＳＬ回線、ケーブルテレビ回線、光ファイバ回線、無線通信チャネル、インターネット等（これらは、可搬式のストレージ媒体によりそのようなソフトウェアを提供するのと同一もしくは互換的なものとみなされる）通信チャネルを介してユーザもしくはシステムに提供され得る。ソフトウェア命令またはファームウェア命令は、プロセッサにより実行されると、プロセッサに様々な動作を実行させる機械可読命令を含み得る。
【００６９】
本開示の更なる複数の態様は、以下の付記のうち１または複数に関する。
【００７０】
一実施形態において、通信チャネルを介して送信するデータユニットを生成するための方法は、データユニットのデータ部分を生成する段階を備え、データユニットのデータ部分を生成する段階は、（ｉ）ノーマルガードインターバル、（ｉｉ）ショートガードインターバルおよび（ｉｉｉ）ロングガードインターバルのうち１つを用いてデータ部分の複数の直交周波数分割多重（ＯＦＤＭ）シンボルを生成する段階を有する。また、本方法は、データユニットのプリアンブルを生成する段階を備え、データユニットのプリアンブルを生成する段階は、ノーマルガードインターバル、ショートガードインターバルまたはロングガードインターバルを用いて、データ部分のうち少なくとも複数のＯＦＤＭシンボルが生成されるか否かを示すプリアンブルを生成する段階を有する段階。更に、本方法は、プリアンブルおよびデータ部分を含むデータユニットを生成する段階を備える。
【００７１】
複数の他の実施形態において、本方法は、以下の複数の機能のうち１または複数の任意の好適な組み合わせを含む。
【００７２】
データユニットのプリアンブルを生成する段階は、プリアンブルの信号フィールドを生成する段階を有し、信号フィールドは、ノーマルガードインターバル、ショートガードインターバルまたはロングガードインターバルを用いて、データ部分の少なくとも複数のＯＦＤＭシンボルが生成されるか否かを示すように設定されたガードインターバルの表示を含む。
【００７３】
ガードインターバルの表示は、２ビットを含む。
【００７４】
プリアンブルを生成する段階は、プリアンブルの第１の部分を生成する段階と、信号フィールドにおけるガードインターバルの表示により示されるガードインターバルを用いて、プリアンブルの第２の部分を生成する段階とを有し、プリアンブルの第１の部分は、（ｉ）ノーマルガードインターバルを用いて生成され、（ｉｉ）信号フィールドを含む。
【００７５】
データユニットのプリアンブルを生成する段階は、（ｉ）レギュラガードインターバルモードのプリアンブルまたは（ｉｉ）拡張ガードインターバルモードのプリアンブルのうち１つを生成する段階を有する。
【００７６】
プリアンブルを生成する段階は、プリアンブルがレギュラガードインターバルのプリアンブルに対応するか、または拡張ガードインターバルのプリアンブルに対応するかを、受信デバイスが自動的に検出することができるようにプリアンブルをフォーマット化する段階を有し、拡張ガードインターバルモードのプリアンブルは、プリアンブルが拡張ガードインターバルのプリアンブルに対応する場合に、ロングガードインターバルを用いて、データ部分の少なくとも複数のＯＦＤＭシンボルが生成されるとの表示として機能する。
【００７７】
拡張ガードインターバルのプリアンブルを生成する段階は、拡張ガードインターバルのプリアンブルに、レガシ信号フィールドの２つまたはそれより多い反復を含める段階を有し、受信デバイスは、レガシ信号フィールドの２つまたはそれより多い反復を検出することに基づいて、プリアンブルが拡張ガードインターバルモードのプリアンブルに対応することを自動的に検出することができる。
【００７８】
拡張ガードインターバルモードのプリアンブルを生成する段階は、プリアンブルに含まれる非レガシ信号フィールドを生成する段階と、レギュラガードインターバルモードのプリアンブルにおける対応する非レガシ信号フィールドとは異なる非レガシ信号フィールドを変調する段階とを有する。
【００７９】
受信デバイスは、非レガシ信号フィールドの変調を検出することにより、プリアンブルが拡張ガードインターバルモードのプリアンブルに対応することを自動的に検出することができる。
【００８０】
非レガシ信号フィールドを生成する段階は、ロングガードインターバルを用いて、非レガシ信号フィールドを生成する段階を有する。
【００８１】
拡張ガードインターバルモードのプリアンブルを生成する段階は、ロングガードインターバルを用いて、プリアンブルに含まれる非レガシ信号フィールドを生成する段階を有し、受信デバイスは、ロングガードインターバルを用いて実行された非レガシ信号フィールドの自動相関、およびノーマルガードインターバルを用いて実行された非レガシ信号フィールドの自動相関の複数の結果を比較することにより、プリアンブルが拡張ガードインターバルモードのプリアンブルに対応することを自動的に検出することができる。
【００８２】
データユニットは、第１の通信プロトコルに準拠し、プリアンブルを生成する段階は、（ｉ）第１の通信プロトコルではなくレガシ通信プロトコルに準拠して動作するように構成されたレガシレシーバが、データユニットの持続時間を判断することができ、（ｉｉ）データユニットが第１の通信プロトコルに準拠することを、第１の通信プロトコルに準拠して動作するように構成されたレシーバが検出することができるように、プリアンブルを生成する段階を更に有する。
【００８３】
別の実施形態において、装置は、データユニットのデータ部分を生成するように構成されたネットワークインターフェースを備え、データユニットのデータ部分を生成することは、（ｉ）ノーマルガードインターバル、（ｉｉ）ショートガードインターバルおよび（ｉｉｉ）ロングガードインターバルのうち１つを用いて、データ部分の複数の直交周波数分割多重（ＯＦＤＭ）シンボルを生成することを含む。また、ネットワークインターフェースは、データユニットのプリアンブルを生成するように構成されており、データユニットのプリアンブルを生成することは、ノーマルガードインターバル、ショートガードインターバルまたはロングガードインターバルを用いて、データ部分の少なくとも複数のＯＦＤＭシンボルが生成されるか否かを示すプリアンブルを生成することを含る。更に、ネットワークインターフェースは、プリアンブルおよびデータ部分を含むデータユニットを生成するように構成されている。
【００８４】
複数の他の実施形態において、装置は、以下の複数の機能のうち１または複数の任意の好適な組み合わせを含む。
【００８５】
ネットワークインターフェースは、プリアンブルの信号フィールドを更に生成するように構成され、信号フィールドは、ノーマルガードインターバル、ショートガードインターバルまたはロングガードインターバルを用いて、データ部分の少なくとも複数のＯＦＤＭシンボルが生成されるか否かを示すように設定されたガードインターバルの表示を含む。
【００８６】
ガードインターバルの表示は、２ビットを含む。
【００８７】
ネットワークインターフェースは、プリアンブルの第１の部分を生成し、信号フィールドにおけるガードインターバルの表示により示されるガードインターバルを用いて、プリアンブルの第２の部分を生成するように更に構成されており、プリアンブルの第１の部分は、（ｉ）ノーマルガードインターバルを用いて生成され、（ｉｉ）信号フィールドを含む。
【００８８】
データユニットのプリアンブルを生成することは、（ｉ）レギュラガードインターバルモードのプリアンブルまたは（ｉｉ）拡張ガードインターバルモードのプリアンブルのうち１つを生成することを含み、プリアンブルを生成することは、プリアンブルがレギュラガードインターバルのプリアンブルに対応するか、または拡張ガードインターバルのプリアンブルに対応するかを、受信デバイスが自動的に検出することができるようにプリアンブルをフォーマット化することを含み、拡張ガードインターバルモードのプリアンブルは、プリアンブルが拡張ガードインターバルのプリアンブルに対応する場合に、ロングガードインターバルを用いて、データ部分の少なくとも複数のＯＦＤＭシンボルが生成されるとの表示として機能する。
【００８９】
拡張ガードインターバルのプリアンブルを生成することは、拡張ガードインターバルのプリアンブルに、レガシ信号フィールドの２つまたはそれより多い反復を含めることを含み、受信デバイスは、レガシ信号フィールドの２つまたはそれより多い反復を検出することに基づいて、プリアンブルが拡張ガードインターバルモードのプリアンブルに対応することを自動的に検出することができる。
【００９０】
拡張ガードインターバルモードのプリアンブルを生成することは、プリアンブルに含まれる非レガシ信号フィールドを生成することと、レギュラガードインターバルモードのプリアンブルにおける対応する非レガシ信号フィールドとは異なる非レガシ信号フィールドを変調することとを含む。
【００９１】
受信デバイスは、非レガシ信号フィールドの変調を検出することにより、プリアンブルが拡張ガードインターバルモードのプリアンブルに対応することを自動的に検出することができる。
【００９２】
非レガシ信号フィールドを生成することは、ロングガードインターバルを用いて、非レガシ信号フィールドを生成することを含む。
【００９３】
拡張ガードインターバルモードのプリアンブルを生成することは、ロングガードインターバルを用いて、プリアンブルに含まれる非レガシ信号フィールドを生成することを含み、受信デバイスは、ロングガードインターバルを用いて実行された非レガシ信号フィールドの自動相関、およびノーマルガードインターバルを用いて実行された非レガシ信号フィールドの自動相関の複数の結果を比較することにより、プリアンブルが拡張ガードインターバルモードのプリアンブルに対応することを自動的に検出することができる。
【００９４】
データユニットは、第１の通信プロトコルに準拠し、プリアンブルを生成することは、（ｉ）第１の通信プロトコルではなくレガシ通信プロトコルに準拠して動作するように構成されたレガシレシーバが、データユニットの持続時間を判断することができ、（ｉｉ）データユニットが第１の通信プロトコルに準拠することを、第１の通信プロトコルに準拠して動作するように構成されたレシーバが検出することができるように、プリアンブルを生成することを更に含む。
【００９５】
ハードウェアに実装される場合、ハードウェアは、複数のディスクリートコンポーネント、集積回路、特定用途向け集積回路（ＡＳＩＣ）等のうち１または複数を備えてもよい。
【００９６】
本発明は、具体的な複数の例を参照して説明されてきたが、これらは、専ら例示的なものであって、本発明を限定することを意図せず、本発明の範囲を逸脱することなく、複数の変更、追加、および／または消去を開示される実施形態に対して行うことができる。
【図１】
2016536910.tif 000004
【図２Ａ】
2016536910.tif 000005
【図２Ｂ】
2016536910.tif 000006
【図３】
2016536910.tif 000007
【図４】
2016536910.tif 000008
【図５】
2016536910.tif 000009
【図６Ａ】
2016536910.tif 000010
【図６Ｂ】
2016536910.tif 000011
【図７Ａ】
2016536910.tif 000012
【図７Ｂ】
2016536910.tif 000013
【図８】
2016536910.tif 000014
【図９Ａ】
2016536910.tif 000015
【図９Ｂ】
2016536910.tif 000016
【図１０Ａ】
2016536910.tif 000017
【図１０Ｂ】
2016536910.tif 000018
【図１１Ａ】
2016536910.tif 000019
【図１１Ｂ】
2016536910.tif 000020
【図１２Ａ】
2016536910.tif 000021
【図１２Ｂ】
2016536910.tif 000022
【図１３Ａ】
2016536910.tif 000023
【図１３Ｂ】
2016536910.tif 000024
【図１４Ａ】
2016536910.tif 000025
【図１４Ｂ】
2016536910.tif 000026
【図１４Ｃ】
2016536910.tif 000027
【図１５】
2016536910.tif 000028
【図１６】
2016536910.tif 000029
【国際調査報告】
2016536910.tif 000030
2016536910.tif 000031
2016536910.tif 000032
2016536910.tif 000033